(57)【要約】  ファインダ内において複数の主要被写体にエリアに対応するデフォーカス画像を最適な位置に配置可能とする撮影装置を及びその制御方法を提供する。  デジタルカメラ（１１）は、ファインダ部（１５）、撮影光学系（１６）、フォーカスリング（１７）、撮像素子（３１）、主制御部（３２）、デジタル信号処理部（４５）、及びファインダ内表示制御部（４８）を備える。撮像素子（３１）は、被写体像を瞳分割して形成された第１及び第２の光束を受光して得られる第１及び第２撮像信号を出力する。主制御部（３２）は、複数の主要被写体エリアで得られる第１及び第２撮像信号に基づいて、撮影光学系のデフォーカス量を表すデフォーカス画像を、主要被写体エリアごとに生成する。ファインダ内表示制御部（４８）は、１つの主要被写体エリアのデフォーカス画像を、他の主要被写体エリアと重ならない位置に表示させる。
2017057510.tif 000002
【特許請求の範囲】
【請求項１】
撮影光学系と、
前記撮影光学系のフォーカス調節操作を可能とするフォーカス調節操作部と、
前記撮影光学系からの被写体像を光電変換して通常画像を生成し、且つ前記被写体像を瞳分割して形成された第１及び第２の光束をそれぞれ光電変換して第１及び第２撮像信号を生成する撮像素子と、
画像内の主要被写体エリアを検出する主要被写体エリア検出部と、
前記主要被写体エリアで得られる前記第１及び第２撮像信号に基づいて、前記撮影光学系のデフォーカス量を表すデフォーカス画像を、前記主要被写体エリアごとに生成するデフォーカス画像生成部と、
前記被写体像を観察エリア内で観察可能に構成されたファインダ部と、
前記観察エリア内において、前記主要被写体エリア外であり、且つ前記主要被写体エリアに近接して前記デフォーカス画像を表示させるファインダ内表示制御部と、
前記主要被写体エリア検出部により複数の前記主要被写体エリアが検出された場合に、前記ファインダ内表示制御部を制御して、１つの前記主要被写体エリアの前記デフォーカス画像を、他の前記主要被写体エリアと重ならない位置に表示させる表示位置制御部と、
を備える撮影装置。
【請求項２】
前記ファインダ内表示制御部は、１つの前記主要被写体エリアに対応する前記デフォーカス画像を、その主要被写体エリアの右側または左側に表示させ、
前記表示位置制御部は、１つの前記主要被写体エリアの前記デフォーカス画像が、他の前記主要被写体エリアと重なるか否かに応じて、前記デフォーカス画像を、対応する主要被写体エリアの右側または左側のいずれに表示させるかを決定する請求項１に記載の撮影装置。
【請求項３】
前記デフォーカス画像は、第１方向に互いに離間した第１及び第２の指標により表され、
前記ファインダ内表示制御部は、前記デフォーカス量が小さいほど、前記第１方向における前記第１及び第２の指標の間の間隔である第１間隔を小さくする請求項１または２に記載の撮影装置。
【請求項４】
前記第１及び第２の指標は、前記第１方向と直交する第２方向に互いに離間しており、
前記ファインダ内表示制御部は、前記デフォーカス量が小さいほど、前記第２方向における前記第１及び第２の指標の間の間隔である第２間隔を小さくする請求項３に記載の撮影装置。
【請求項５】
前記ファインダ内表示制御部は、前記デフォーカス量が０である場合、前記第１及び第２間隔を０とする請求項４に記載の撮影装置。
【請求項６】
前記ファインダ内表示制御部は、前記デフォーカス量が０である場合、前記第１及び第２の指標を一体化して表示させる請求項５に記載の撮影装置。
【請求項７】
前記第１の指標は、前記第２方向に前記第２の指標と対向する部分に凸部を有し、
前記第２の指標は、前記第２方向に前記第１の指標と対向する部分に凹部を有し、
前記デフォーカス量が０である場合に、前記凸部と前記凹部とが嵌合される請求項５または６に記載の撮影装置。
【請求項８】
前記デフォーカス量が、前記撮影光学系の焦点深度内か否かを判定する判定部を有し、
前記ファインダ内表示制御部は、前記判定部により前記デフォーカス量が前記焦点深度内にあると判定された場合には前記デフォーカス量に応じて前記第２間隔を変更し、前記判定部により前記デフォーカス量が前記焦点深度外にあると判定された場合には前記デフォーカス量に依らず前記第２間隔を一定とする請求項４〜７のいずれか１項に記載の撮影装置。
【請求項９】
前記被写体像中の人物の顔を認識する顔認識部を有し、
前記主要被写体エリア検出部は、前記顔認識部により認識された前記人物の顔が含まれているエリアを前記主要被写体エリアとして検出する請求項１〜８のいずれか１項に記載の撮影装置。
【請求項１０】
撮影光学系と、
前記撮影光学系のフォーカス調節操作を可能とするフォーカス調節操作部と、
前記撮影光学系からの被写体像を光電変換して通常画像を生成し、且つ前記被写体像を瞳分割して形成された第１及び第２の光束をそれぞれ光電変換して第１及び第２撮像信号を生成する撮像素子と、
画像内の主要被写体エリアを検出する主要被写体エリア検出部と、
前記主要被写体エリアで得られる前記第１及び第２撮像信号に基づいて、前記撮影光学系のデフォーカス量を表すデフォーカス画像を、前記主要被写体エリアごとに生成するデフォーカス画像生成部と、
前記被写体像を観察エリア内で観察可能に構成されたファインダ部と、
前記観察エリア内において、前記主要被写体エリア外であり、且つ前記主要被写体エリアに近接して前記デフォーカス画像を表示させるファインダ内表示制御部と、
を備える撮影装置の制御方法において、
前記主要被写体エリア検出部により複数の前記主要被写体エリアが検出された場合に、前記ファインダ内表示制御部を制御して、１つの前記主要被写体エリアの前記デフォーカス画像を、他の前記主要被写体エリアと重ならない位置に表示させる撮影装置の制御方法。
【発明の詳細な説明】
【技術分野】
【０００１】
本発明は、電子ビューファインダまたはハイブリッドビューファインダを有する撮影装置及びその制御方法に関する。
【背景技術】
【０００２】
近年、光学ビューファインダ（以下、ＯＶＦという）や電子ビューファインダ（以下、ＥＶＦという）の他に、ハイブリッドビューファインダを有するデジタルカメラ等の撮影装置が知られている（特許文献１参照）。ハイブリッドビューファインダは、ＯＶＦモードとＥＶＦモードとを有し、両者を切り替え可能とする。【０００３】
ハイブリッドビューファインダは、表示部と、ファインダ窓と、光路統合部としてのハーフミラーとを備えている。表示部は、被写体の光学像を撮像素子で撮像して得られた被写体画像を表示する。ファインダ窓には、被写体の光学像が入射する。ハーフミラーは、ファインダ窓に入射した光学像を一部透過させてファインダ接眼部に導き、表示部が表示した表示画像を一部反射させてファインダ接眼部に導く。また、ハイブリッドビューファインダは、ファインダ窓に入射する光学像を遮蔽するシャッタ（以下、ＯＶＦシャッタという）を有している。ＯＶＦモードでは、ＯＶＦシャッタを開状態とし、表示部を非表示とさせることで、光学像をファインダ接眼部に導く。ＥＶＦモードでは、ＯＶＦシャッタを閉状態とし、表示部を表示とさせることで、表示画像をファインダ接眼部に導く。【０００４】
一方、上級者向けの一眼レフタイプなどのカメラは、撮影者が手動でフォーカス調節を行うことを可能とするマニュアルフォーカス機能を有する。また、マニュアルフォーカス時のフォーカス調節を容易にするために、被写体画像の一部をスプリットイメージとして表示部にライブビュー表示させるデジタルカメラが知られている（例えば、特許文献２、３を参照）。【０００５】
スプリットイメージは、被写体を瞳分割方式の撮像で得られた２つの被写体画像（２つの位相差画像）で構成される。隣接して表示される２つの位相差画像のずれ（位相差）が、被写体に対するフォーカスのずれ量を表している。隣接した２つの位相差画像は、フォーカスが合っていない状態（非合焦状態）では左右にずれて表示され、フォーカスが合った状態（合焦状態）では左右のずれがなくなる。撮影者は、２つの位相差画像の左右のずれがなくなるようにフォーカスリングを操作することによってフォーカスを被写体に合わせることができる。【０００６】
スプリットイメージをデジタルカメラの背面表示部に表示させるものの他に、近年では、ＥＶＦや、ハイブリッドビューファインダの表示部に表示させるように構成されたデジタルカメラが発売されている。【０００７】
また、背面表示部にタッチパネルを取り付けたデジタルカメラがある。このデジタルカメラでは、背面表示部にライブビュー表示されている主要被写体像を、ユーザが指先でタッチすることにより主要被写体エリアを指定することを可能とする。デジタルカメラは、ユーザにより指定された主要被写体エリアを検出してフォーカスを合わせる（例えば、特許文献３を参照）。また、撮像された画像中から主要被写体（例えば、人の顔）を表す画像を検出する主要被写体検出部を設け、この主要被写体検出部によって検出された主要被写体エリアにフォーカスを合わせるデジタルカメラも知られている。
【先行技術文献】
【特許文献】
【０００８】
【特許文献１】特開２０１２−０６５２９４号公報
【特許文献２】特開２００９−１４７６６５号公報
【特許文献３】特開２０１３−１７８３２４号公報
【発明の概要】
【発明が解決しようとする課題】
【０００９】
しかしながら、スプリットイメージをファインダ内の表示部に表示させるデジタルカメラでは、背面表示部に表示させるものと比べて、スプリットイメージが表示される領域が小さいので、撮影者は、フォーカスが被写体に対してどの程度ずれているのかを認識し難いという問題がある。【００１０】
そこで、発明者らは、スプリットイメージに代えて、撮影光学系のデフォーカス量を表すデフォーカス画像をファインダ内に表示させることを検討している。デフォーカス画像とは、デフォーカス量に応じて離間して配置された一対の指標（例えば、一対のバー）である。【００１１】
さらに、出願人は、上記のように検出された主要被写体エリアに対応するデフォーカス量に基づいてデフォーカス画像を生成し、生成したデフォーカス画像を主要被写体エリアに近接して表示させることを検討している。【００１２】
しかし、主要被写体エリアは、ライブビュー表示中に複数検出されることがある。この場合には、各主要被写体エリアごとにデフォーカス画像が生成され表示されることになるため、デフォーカス画像を表示させる位置が問題となる。具体的には、２つの主要被写体エリアが互いに接近して近傍位置に検出された場合には、主要被写体エリアに近接する位置にデフォーカス画像を表示させると、デフォーカス画像が他の主要被写体エリアと重なり、視認しづらいという問題がある。【００１３】
本発明は、ファインダ内において複数の主要被写体にエリアに対応するデフォーカス画像を最適な位置に配置可能とする撮影装置を及びその制御方法を提供することを目的とする。
【課題を解決するための手段】
【００１４】
上記目的を達成するため、本発明の撮影装置は、撮影光学系と、フォーカス調節操作部と、撮像素子と、主要被写体エリア検出部と、デフォーカス画像生成部と、ファインダ部と、ファインダ内表示制御部と、表示位置制御部とを備える。フォーカス調節操作部は、撮影光学系のフォーカス調節操作を可能とする。撮像素子は、撮影光学系からの被写体像を光電変換して通常画像を生成し、且つ被写体像を瞳分割して形成された第１及び第２の光束をそれぞれ光電変換して第１及び第２撮像信号を生成する。主要被写体エリア検出部は、画像内の主要被写体エリアを検出する。デフォーカス画像生成部は、主要被写体エリアで得られる第１及び第２撮像信号に基づいて、撮影光学系のデフォーカス量を表すデフォーカス画像を、主要被写体エリアごとに生成する。ファインダ部は、被写体像を観察エリア内で観察可能に構成されている。ファインダ内表示制御部は、観察エリア内において、主要被写体エリア外であり、且つ主要被写体エリアに近接してデフォーカス画像を表示させる。表示位置制御部は、主要被写体エリア検出部により複数の主要被写体エリアが検出された場合に、ファインダ内表示制御部を制御して、１つの主要被写体エリアのデフォーカス画像を、他の主要被写体エリアと重ならない位置に表示させる。【００１５】
ファインダ内表示制御部は、１つの主要被写体エリアに対応するデフォーカス画像を、その主要被写体エリアの右側または左側に表示させ、表示位置制御部は、１つの主要被写体エリアのデフォーカス画像が、他の主要被写体エリアと重なるか否かに応じて、デフォーカス画像を、対応する主要被写体エリアの右側または左側のいずれに表示させるかを決定することが好ましい。【００１６】
デフォーカス画像は、第１方向に互いに離間した第１及び第２の指標により表され、
ファインダ内表示制御部は、デフォーカス量が小さいほど、第１方向における第１及び第２の指標の間の間隔である第１間隔を小さくすることが好ましい。【００１７】
第１及び第２の指標は、第１方向と直交する第２方向に互いに離間しており、
ファインダ内表示制御部は、デフォーカス量が小さいほど、第２方向における第１及び第２の指標の間の間隔である第２間隔を小さくすることが好ましい。【００１８】
ファインダ内表示制御部は、デフォーカス量が０である場合、第１及び第２間隔を０とすることが好ましい。また、ファインダ内表示制御部は、デフォーカス量が０である場合、第１及び第２の指標を一体化して表示させることが好ましい。【００１９】
第１の指標は、第２方向に第２の指標と対向する部分に凸部を有し、第２の指標は、第２方向に第１の指標と対向する部分に凹部を有し、デフォーカス量が０である場合に、凸部と凹部とが嵌合されることが好ましい。【００２０】
デフォーカス量が、撮影光学系の焦点深度内か否かを判定する判定部を有し、ファインダ内表示制御部は、判定部によりデフォーカス量が焦点深度内にあると判定された場合にはデフォーカス量に応じて第２間隔を変更し、判定部によりデフォーカス量が焦点深度外にあると判定された場合にはデフォーカス量に依らず第２間隔を一定とすることが好ましい。【００２１】
被写体像中の人物の顔を認識する顔認識部を有し、主要被写体エリア検出部は、顔認識部により認識された人物の顔が含まれているエリアを主要被写体エリアとして検出することが好ましい。【００２２】
本発明の撮影装置の制御方法は、主要被写体エリア検出部により複数の主要被写体エリアが検出された場合に、ファインダ内表示制御部を制御して、１つの主要被写体エリアのデフォーカス画像を、他の主要被写体エリアと重ならない位置に表示させる。
【発明の効果】
【００２３】
本発明によれば、ファインダ内において複数の主要被写体にエリアに対応するデフォーカス画像を最適な位置に配置することができる。
【図面の簡単な説明】
【００２４】
【図１】デジタルカメラの外観を正面側から示す斜視図である。
【図２】デジタルカメラの外観を背面側から示す斜視図である。
【図３】デジタルカメラの正面図である。
【図４】デジタルカメラの背面図である。
【図５】デジタルカメラの平面図である。
【図６】デジタルカメラの底面図である。
【図７】デジタルカメラの左側面図である。
【図８】デジタルカメラの右側面図である。
【図９】ファインダ部の観察エリア内を示す部分拡大図である。
【図１０】デジタルカメラの電気的構成を示すブロック図である。
【図１１】撮像素子の画素配列の一例を示す説明図である。
【図１２】通常画素、第１及び第２位相差画素の構造を示す断面図である。
【図１３】タッチパネルで入力することにより主要被写体エリアを指定している状態を説明する説明図である。
【図１４Ａ】非合焦状態におけるデフォーカス画像を示す説明図である。
【図１４Ｂ】合焦状態におけるデフォーカス画像を示す説明図である。
【図１５】主要被写体エリアの１つと他の１つとが近傍状態であると判定された場合、他の１つの主要被写体エリアと重ならない位置にデフォーカス画像を表示させる１例を示す説明図である。
【図１６】光学像と情報画像とを重ね合わせたＯＶＦ画像を示す図である。
【図１７】撮影時にデフォーカス画像を表示する際の処理を説明するフローチャートである。
【図１８Ａ】第２実施形態のデフォーカス画像であり、非合焦状態におけるデフォーカス画像を示す説明図である。
【図１８Ｂ】第２実施形態のデフォーカス画像であり、合焦状態におけるデフォーカス画像を示す説明図である。
【図１９Ａ】第３実施形態のデフォーカス画像であり、非合焦状態におけるデフォーカス画像を示す説明図である。
【図１９Ｂ】第３実施形態のデフォーカス画像であり、合焦状態におけるデフォーカス画像を示す説明図である。
【図２０Ａ】第４実施形態のデフォーカス画像であり、非合焦状態におけるデフォーカス画像を示す説明図である。
【図２０Ｂ】第４実施形態のデフォーカス画像であり、合焦状態におけるデフォーカス画像を示す説明図である。
【図２１Ａ】第５実施形態のデフォーカス画像であり、非合焦状態におけるデフォーカス画像を示す説明図である。
【図２１Ｂ】第５実施形態のデフォーカス画像であり、合焦状態におけるデフォーカス画像を示す説明図である。
【図２２】第６実施形態の重畳表示モードを説明する図である。
【図２３】第７実施形態のファインダ部の観察エリア内を示す図である。
【図２４】第７実施形態の主要被写体エリア及びデフォーカス画像を示す部分拡大図である。
【図２５】第７実施形態の被写界深度表示画像を示す部分拡大図である。
【図２６】第８実施形態のファインダ部の観察エリア内を示す図である。
【図２７】第８実施形態の主要被写体エリア及びデフォーカス画像を示す部分拡大図である。
【図２８】第９実施形態のファインダ部の観察エリア内を示す図である。
【図２９】第９実施形態の主要被写体エリア及びデフォーカス画像を示す部分拡大図である。
【図３０】第１０実施形態のファインダ部の観察エリア内を示す図である。
【図３１】第１０実施形態の主要被写体エリア及びデフォーカス画像を示す部分拡大図である。
【図３２】第１１実施形態のファインダ部の観察エリア内を示す図である。
【図３３Ａ】第１１実施形態の主要被写体エリア及びデフォーカス画像であり、非合焦状態におけるデフォーカス画像を示す部分拡大図である。
【図３３Ｂ】第１１実施形態の主要被写体エリア及びデフォーカス画像であり、合焦状態におけるデフォーカス画像を示す部分拡大図である。
【図３４】第１２実施形態のファインダ部の観察エリア内を示す図である。
【図３５】第１２実施形態の被写体表示エリアの右側に配列されるデフォーカス画像を示す部分拡大図である。
【図３６】第１３実施形態のファインダ部の観察エリア内を示す図である。
【図３７Ａ】第１３実施形態の主要被写体エリアの１つに対応する長方形枠であり、非合焦状態における長方形枠を示す部分拡大図である。
【図３７Ｂ】第１３実施形態の主要被写体エリアの１つに対応する長方形枠であり、合焦状態における長方形枠を示す部分拡大図である。
【図３８】第１３実施形態の被写体表示エリアの右側に配列されるデフォーカス画像を示す部分拡大図である。
【図３９】第１４実施形態のファインダ部の観察エリア内を示す図である。
【図４０Ａ】第１４実施形態のデフォーカス画像であり、非合焦状態且つ前ピン状態におけるデフォーカス画像を示す部分拡大図である。
【図４０Ｂ】第１４実施形態のデフォーカス画像であり、非合焦状態且つ後ピン状態におけるデフォーカス画像を示す部分拡大図である。
【図４０Ｃ】第１４実施形態のデフォーカス画像であり、合焦状態におけるデフォーカス画像を示す部分拡大図である。
【図４１】第１５実施形態のファインダ部の観察エリア内を示す図である。
【図４２Ａ】第１５実施形態のデフォーカス画像であり、非合焦状態且つ前ピン状態におけるデフォーカス画像を示す部分拡大図である。
【図４２Ｂ】第１５実施形態のデフォーカス画像であり、非合焦状態且つ後ピン状態におけるデフォーカス画像を示す部分拡大図である。
【図４２Ｃ】第１５実施形態のデフォーカス画像であり、合焦状態におけるデフォーカス画像を示す部分拡大図である。
【図４３】第１６実施形態のファインダ部の観察エリア内を示す図である。
【図４４Ａ】第１６実施形態の主要被写体エリアの長方形枠であり、非合焦状態における長方形枠を示す部分拡大図である。
【図４４Ｂ】第１６実施形態の主要被写体エリアの長方形枠であり、合焦状態における長方形枠を示す部分拡大図である。
【図４５】第１７実施形態のファインダ部の観察エリア内を示す図である。
【図４６Ａ】第１７実施形態の主要被写体エリアの長方形枠であり、非合焦状態且つ前ピン状態における長方形枠と非合焦状態情報画像を示す部分拡大図である。
【図４６Ｂ】第１７実施形態の主要被写体エリアの長方形枠であり、非合焦状態且つ後ピン状態における長方形枠と非合焦状態情報画像を示す部分拡大図である。
【図４６Ｃ】第１７実施形態の主要被写体エリアの長方形枠であり、合焦状態における長方形枠と合焦状態情報画像を示す部分拡大図である。
【図４７】第１８実施形態のファインダ部の観察エリア内を示す図である。
【図４８】第１８実施形態の被写界深度表示画像を示す部分拡大図である。
【図４９】第１９実施形態のファインダ部の観察エリア内を示す図である。
【図５０Ａ】第１９実施形態の主要被写体エリア及びデフォーカス画像であり、非合焦状態におけるデフォーカス画像を示す部分拡大図である。
【図５０Ｂ】第１９実施形態の主要被写体エリア及びデフォーカス画像であり、合焦状態におけるデフォーカス画像を示す部分拡大図である。
【図５１】第２０実施形態のファインダ部の観察エリア内を示す図である。
【図５２】第２０実施形態の主要被写体エリア及びデフォーカス画像を示す部分拡大図である。
【図５３】第２１実施形態のファインダ部の観察エリア内を示す図である。
【図５４】第２１実施形態の被写体表示エリアの右側に配列されるデフォーカス画像を示す部分拡大図である。
【図５５】第２２実施形態のファインダ部の観察エリア内を示す図である。
【図５６Ａ】第２２実施形態の主要被写体エリア及びデフォーカス画像であり、非合焦状態におけるデフォーカス画像を示す部分拡大図である。
【図５６Ｂ】第２２実施形態の主要被写体エリア及びデフォーカス画像であり、合焦状態におけるデフォーカス画像を示す部分拡大図である。
【図５７】第２３実施形態のファインダ部の観察エリア内を示す図である。
【図５８】第２３実施形態の主要被写体エリア及びデフォーカス画像を示す部分拡大図である。
【図５９】第２４実施形態のファインダ部の観察エリア内を示す図である。
【図６０】第２４実施形態の被写体表示エリアの右側に配列されるデフォーカス画像を示す部分拡大図である。
【図６１】第２５実施形態のファインダ部の観察エリア内を示す図である。
【図６２Ａ】第２５実施形態の主要被写体エリア及びデフォーカス画像であり、非合焦状態におけるデフォーカス画像を示す部分拡大図である。
【図６２Ｂ】第２５実施形態の主要被写体エリア及びデフォーカス画像であり、合焦状態におけるデフォーカス画像を示す部分拡大図である。
【発明を実施するための形態】
【００２５】
［第１実施形態］
図１〜図８において、デジタルカメラ１１は、マニュアルフォーカス時にデフォーカス画像を生成して表示するものである。このデジタルカメラ１１は、カメラ本体１２、レンズ鏡筒１３、背面表示部１４、及びファインダ部１５を備える。レンズ鏡筒１３は、カメラ本体１２の前面に設けられており、撮影光学系１６を保持している。レンズ鏡筒１３の外周には、フォーカスリング１７（フォーカス調節操作部）及び絞りリング１８を回転自在に設けられている。フォーカスリング１７及び絞りリング１８は、撮影者が手動で回転操作することにより、撮影光学系１６のフォーカス調節及び絞り調節をそれぞれ可能とするための操作部材である。
【００２６】
ファインダ部１５は、光学ビューファインダ（ＯＶＦ）モードと、電子ビューファインダ（ＥＶＦ）モードとの切り替えが可能なハイブリッド型である。
【００２７】
カメラ本体１２の上面には、電源ボタン１９、レリーズボタン２０、シャッタダイヤル２２等が設けられている。カメラ本体１２の前面には、ファインダ切替レバー２１、オートフォーカス／マニュアルフォーカス（ＡＦ／ＭＦ）切替スイッチ２３等が設けられている。カメラ本体１２の背面には、モードボタン２４、ズームボタン２５等が設けられている。
【００２８】
ＡＦ／ＭＦ切替スイッチ２３は、撮影光学系１６のフォーカス調節を行うモードを、オートフォーカスモードと、マニュアルフォーカスモードとの間で切り替えるためのスイッチである。オートフォーカスモードでは、撮影光学系１６のフォーカス調節が自動で行われる。マニュアルフォーカスモードでは、撮影者がフォーカスリング１７を回転操作することによりフォーカス調節を手動で行うことを可能とする。なお、オートフォーカスモードと、マニュアルフォーカスモードとの切り替えは、ＡＦ／ＭＦ切替スイッチ２３だけではなく、後述するようにモードボタン２４等の操作によっても行うことができる。
【００２９】
電源ボタン１９は、デジタルカメラ１１の電源（図示せず）をオンまたはオフする際に操作される。レリーズボタン２０は、撮影を実行する際に操作される。ファインダ切替レバー２１は、ファインダ部１５を、ＯＶＦモードとＥＶＦモードとの間で切り替える際に操作される。シャッタダイヤル２２は、デジタルカメラ１１のシャッタ速度を切り替える際に操作される。ズームボタン２５は、ズーミングを行う際に操作される。
【００３０】
レリーズボタン２０は、Ｓ１スイッチとＳ２スイッチとで構成された２段ストローク式のスイッチ（図示せず）を有する。デジタルカメラ１１は、レリーズボタン２０が押下（半押し）され、Ｓ１スイッチがオン状態となると、自動露出調節等の撮影準備動作を行う。この状態からさらにレリーズボタン２０が押下（全押し）され、Ｓ２スイッチがオン状態となると、撮影動作が行われる。
【００３１】
背面表示部１４は、カメラ本体１２の背面に設けられており、各種撮影モードで取得された画像や、各種設定を行うためのメニュー画面を表示する。この背面表示部１４の表面には、タッチパネル２７（図１０参照）が取り付けられており、タッチパネル２７からの入力指示は、主制御部３２に送信される。
【００３２】
また、カメラ本体１２の底部には、後述する記録メディア５０（図１０参照）を装着するためのスロット（図示せず）と、このスロットの開口を開閉する装填蓋２７とが設けられている。
【００３３】
ファインダ部１５は、被写体の光学像を取り込むファインダ対物窓１５ａと、撮影者の眼が接眼されるファインダ接眼部１５ｂとを有している。ファインダ対物窓１５ａは、カメラ本体１２の前面側に設けられている。ファインダ接眼部１５ｂは、カメラ本体１２の背面側に設けられている。
【００３４】
図９に示すように、ファインダ部１５には、観察エリアＥ内に被写体表示エリアＥＳと情報表示エリアＥＩとが設定されている。被写体表示エリアＥＳ内には、一例として、第１〜第３主要被写体エリアＥＭ１〜ＥＭ３（長方形枠ＦＭ１〜ＦＭ３で示す領域）が表示されている。この主要被写体エリアＥＭ１〜ＥＭ３に近接して、後述する第１〜第３デフォーカス画像５７ａ〜５７ｃが表示される。
【００３５】
第１〜第３主要被写体エリアＥＭ１〜ＥＭ３は、後述する主要被写体エリア検出部５１により検出される。各第１〜第３デフォーカス画像５７ａ〜５７ｃは、第１〜第３主要被写体エリアＥＭ１〜ＥＭ３内のデフォーカス量にそれぞれ対応している。
【００３６】
マニュアルフォーカスモードの場合、撮影者がフォーカスリング１７の回転操作により、撮影光学系１６のフォーカス調節を行うと、第１〜第３主要被写体エリアＥＭ１〜ＥＭ３内のデフォーカス量に応じて第１〜第３デフォーカス画像５７ａ〜５７ｃが変化する。撮影者は、第１〜第３デフォーカス画像５７ａ〜５７ｃにより、第１〜第３主要被写体エリアＥＭ１〜ＥＭ３内のフォーカス状態を認識することができる。
【００３７】
第１〜第３主要被写体エリアＥＭ１〜ＥＭ３は、被写体表示エリアＥＳ内で指定された位置にあり、被写体表示エリアＥＳよりも小さい長方形の領域である。被写体表示エリアＥＳは、後述するように、被写体の光学像又は通常画像５６が観察可能な領域である。また、被写体の光学像を観察する場合（ＯＶＦモード時）には、被写体表示エリアＥＳの位置は、ファインダ対物窓１５ａと、撮影光学系１６との視差に応じて変化する。
【００３８】
情報表示エリアＥＩには、情報画像が表示される。情報画像は、撮影条件、撮影モード等の撮影情報に基づいて生成される。撮影条件には、シャッタ速度、絞り値、ＩＳＯ感度等が含まれる。撮影モードには、オート撮影モードやマニュアル撮影モード等が含まれる。オート撮影モードでは、光学像を撮像して得られる画像データに基づいて、フォーカス調節や自動露出調節が行われ、フォーカス、シャッタ速度及び絞り値が自動的に設定される。マニュアル撮影モードでは、撮影者がフォーカスリング１７を回転操作してフォーカス調節を行うとともに、撮影者がシャッタダイヤル２２、絞りリング１８などを操作してシャッタ速度や絞り値を手動で設定可能である。撮影モードは、モードボタン２４等の操作によって設定可能である。
【００３９】
図９に示す情報表示エリアＥＩには、撮影情報の一例として、シャッタ速度を示す「１／２０００」、絞り値を示す「Ｆ５．６」、ＩＳＯ感度を示す「ＩＳＯ２００」、撮影モードを示す「Ｍ」が表示されている。
【００４０】
図１０において、レンズ鏡筒１３は、撮影光学系１６、フォーカスリング１７などの他にセンサ２９を備える。マニュアルフォーカスモードの場合、センサ２９は、フォーカスリング１７の回転方向及び回転量を検出する。センサ２９は、例えば、フォーカスリング１７の内周面に設けられた櫛歯リング（図示せず）と、検出信号を出力する光学センサ（図示せず）とから構成される。センサ２９からの検出信号は、主制御部３２に出力される。主制御部３２は、センサ２９から入力される検出信号に基づいてフォーカスリング１７の回転方向及び回転量を検出する。
【００４１】
撮影光学系１６は、変倍レンズ１６ａ、フォーカスレンズ１６ｂを含む複数のレンズ、絞り３０などを備える。撮影光学系１６の背後には、撮影光学系１６の光軸ＬＡに沿って、撮像素子３１が配される。撮像素子３１は、カメラ本体１２の内部に設けられている。
【００４２】
絞り３０は、主制御部３２によって駆動制御され、撮像素子３１に入射させる光量を調整する。撮像素子３１には、撮影光学系１６を通過し、絞り３０により光量が調整された被写体の光学像が入射する。
【００４３】
撮影光学系１６には、レンズ駆動部３４が接続されている。主制御部３２は、センサ２９の信号に基づき検出したフォーカスリング１７の回転方向及び回転量に応じてフォーカスレンズ１６ｂを移動させる制御信号をレンズ駆動部３４に送信する。レンズ駆動部３４は、制御信号に基づいてフォーカスレンズ１６ｂを移動させる。
【００４４】
また、主制御部３２は、レンズ駆動部３４を制御して変倍レンズを光軸方向に移動させて撮影光学系１６にズーミングを行わせる。
【００４５】
撮像素子３１は、例えば、ＲＧＢ方式のカラーフィルタを有する単板カラー撮像方式のＣＭＯＳ型イメージセンサである。撮像素子３１は、２次元マトリクス状に配列された複数の画素により構成された受光面３１ａを有している。各画素は、光電変換素子を含んでおり、受光面に結像された光学像を光電変換により撮像して撮像信号を生成する。また、撮像素子３１は、電子シャッタ機能を有しており、シャッタ速度（電荷蓄積時間）が調整可能である。
【００４６】
図１１に示す撮像素子３１の受光面３１ａには、撮影光学系１６を透過した被写体光が入射する。受光面３１ａには、通常画素３５と、第１位相差画素３６ａと、第２位相差画素３６ｂとが設けられている。通常画素３５、第１位相差画素３６ａ、及び第２位相差画素３６ｂは、全体としてマトリクス状に配列され、画像の各部を光電変換して撮像信号を出力する。撮像素子３１は、主制御部３２からの駆動信号によって動作する。
【００４７】
通常画素３５は、受光面３１ａに多数存在する。この通常画素３５は、被写体からの光束を瞳分割することなく受光する通常の画素である。各通常画素３５には、赤色（Ｒ）、緑色（Ｇ）、青色（Ｂ）のうちのいずれかのカラーフィルタ４１（図１２参照）が設けられている。図１１中の「Ｒ」は、Ｒフィルタが設けられた通常画素３５であるＲ画素を示す。「Ｇ」は、Ｇフィルタが設けられた通常画素３５であるＧ画素を示す。「Ｂ」は、Ｂフィルタが設けられた通常画素３５であるＢ画素を示す。
【００４８】
一方、受光面３１ａには、一部のＧ画素に代えて、被写体からの光束を瞳分割して受光する第１位相差画素３６ａ（図１１中の「Ｇ１」に対応）、第２位相差画素３６ｂ（図１１中の「Ｇ２」に対応）が所定のパターンで配されている。本実施形態においては、第１位相差画素３６ａと第２位相差画素３６ｂは、水平及び垂直方向にそれぞれ所定の間隔をあけて交互に設けられている。
【００４９】
図１２において、各画素３５，３６ａ，３６ｂは、半導体基板３７に形成されたフォトダイオード３８を有している。フォトダイオード３８は、入射した光をその受光量に応じた信号電荷に変換して蓄積する光電変換部である。半導体基板３７の表面に透明な絶縁膜３９が形成され、その上に遮光膜４０が形成されている。遮光膜４０には、通常画素３５のフォトダイオード３８上に通常開口４０ａが形成されている。通常開口４０ａは、フォトダイオード３８と同じ矩形状であるが、サイズがフォトダイオード３８よりも小さく、その中心がフォトダイオード３８の中心と一致した位置に設けられている。
【００５０】
また、遮光膜４０には、第１位相差画素３６ａのフォトダイオード３８上に第１偏心開口４０ｂが、また第２位相差画素３６ｂのフォトダイオード３８上に第２偏心開口４０ｃがそれぞれ形成されている。第１位相差画素３６ａの第１偏心開口４０ｂは、フォトダイオード３８の中心に対して右方向に、また第２位相差画素３６ｂの第２偏心開口４０ｃは、フォトダイオード３８の中心に対して左方向にずれた位置に形成されている。
【００５１】
なお、各偏心開口４０ｂ，４０ｃの偏心方向は、観察エリアＥの水平方向Ｘである。これは、観察エリアＥの水平方向Ｘに位相差を形成するためである。
【００５２】
遮光膜４０よりも上層に３原色（Ｒ、Ｇ、Ｂ）のいずれかのカラーフィルタ４１が設けられ、さらにその上に、画素ごとにマイクロレンズ４２が設けられている。第１位相差画素３６ａ及び第２位相差画素３６ｂには、緑色の光を透過するカラーフィルタ４１が設けられている。
【００５３】
上記のような構成により、第１位相差画素３６ａは、撮影光学系１６の射出瞳を分割した左側部分からの光束４３Ｌ（第１の光束）だけを受光する。第２位相差画素３６ｂは、右側部分からの光束４３Ｒ（第２の光束）だけを受光する。通常画素３５は、撮影光学系１６からの光束を瞳分割することなく受光する。
【００５４】
撮像素子３１は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して撮像素子３１から出力する。撮像素子３１の出力信号は、各画素３５，３６ａ，３６ｂごとに１つの画素値を有する画像データ（いわゆるＲＡＷデータ）である。
【００５５】
撮像素子３１及び主制御部３２は、バス３３に接続されている。この他、バス３３には、メモリ制御部４４、デジタル信号処理部４５、メディア制御部４６、背面表示制御部４７、ファインダ内表示制御部４８が接続されている。
【００５６】
メモリ制御部４４には、ＳＤＲＡＭ等の一時記憶用のメモリ４９が接続されている。メモリ制御部４４は、撮像素子３１から出力された画像データをメモリ４９に入力して記憶させる。また、メモリ制御部４４は、メモリ４９に記憶された画像データを、デジタル信号処理部４５に出力する。
【００５７】
デジタル信号処理部４５は、メモリ４９から入力された画像データに対して、マトリクス演算、デモザイク処理、γ補正、輝度変換、色差変換、リサイズ処理などの公知の画像処理を施し、各通常画素３５の画素値に基づいて、被写体画像を生成する。以下、通常画素３５に基づいて生成される被写体画像を通常画像５６という。通常画像５６は、同時化処理によって全ての画素が３色の画素値を有したカラー画像である。
【００５８】
また、デジタル信号処理部４５には、主要被写体エリア検出部５１と、デフォーカス量検出部５２と、デフォーカス画像生成部５３と、近傍状態判定部５４と、表示位置制御部５５とが構成されている。
【００５９】
図１３に示すように、主要被写体エリア検出部５１は、マニュアルフォーカスモード下において、背面表示部１４にライブビュー表示されている主要被写体像に対してタッチパネル２７が指Ｆなどでタッチされた場合に、このタッチにより指定された位置を中心とする領域を主要被写体エリアＥＭとして検出する。上述したように、本実施形態では、例えば、３箇所の主要被写体エリアＥＭ１〜ＥＭ３を検出可能である。例えば、マニュアルフォーカスモード下において、タッチパネル２７が動作を開始してから、タッチパネル２７がタッチされた順番に、第１〜第３主要被写体エリアＥＭ１〜ＥＭ３として検出される。以下、第１〜第３主要被写体エリアＥＭ１〜ＥＭ３を区別する必要がない場合には、これらを主要被写体エリアＥＭという。
【００６０】
デフォーカス量検出部５２は、主要被写体エリアＥＭのそれぞれについて、第１位相差画素３６ａにより生成される第１撮像信号と、第２位相差画素３６ｂにより生成される第２撮像信号とを取得し、両者の位相差量を検出し、この位相差量からデフォーカス量を算出する。
【００６１】
デフォーカス画像生成部５３は、デフォーカス量検出部５２により算出された主要被写体エリアＥＭの各デフォーカス量に基づき、デフォーカス画像５７をそれぞれ生成する。第１〜第３デフォーカス画像５７ａ〜５７ｃは、それぞれ第１〜第３主要被写体エリアＥＭ１〜ＥＭ３に対するデフォーカス画像である。以下、デフォーカス画像５７ａ〜５７ｃを区別する必要がない場合には、これらをデフォーカス画像５７という。
【００６２】
デフォーカス画像５７ａ〜５７ｃは、後述するファインダ部１５の液晶表示装置（ＥＶＦＬＣＤ）６１に表示される。
【００６３】
図１４Ａに示すように、デフォーカス画像５７は、水平方向Ｘ（第１方向）に互いに離間した第１及び第２の指標５８，５９により表される。第１及び第２の指標５８，５９は、水平方向Ｘよりも垂直方向Ｙに長いバー形状である。水平方向Ｘにおける第１及び第２の指標５８，５９の間の間隔である第１間隔Ｄ１は、撮影光学系１６のデフォーカス量を表している。第１間隔Ｄ１は、デフォーカス量が小さいほど小さい。なお、図９、図１４Ａ及び図１４Ｂでは、デフォーカス画像５７を含むデフォーカス画像表示エリアＥＤを、長方形枠（破線で示す長方形枠）により表しているが、この長方形枠は、仮想的な線である。本実施形態においては、長方形枠は実際には表示しないが、実線等で表示してもよい。以降の図面においても同様である。
【００６４】
デフォーカス画像生成部５３は、第１及び第２撮像信号が得られるたびにデフォーカス画像５７ａ〜５７ｃを生成する。マニュアルフォーカスモードの場合、フォーカスリング１７の回転操作により、撮影光学系１６のフォーカス調節を行うと、デフォーカス量の変化に応じてデフォーカス画像５７ａ〜５７ｃが変化する。撮影者は、デフォーカス画像５７ａ〜５７ｃの第１間隔Ｄ１により、第１〜第３主要被写体エリアＥＭ１〜ＥＭ３内のフォーカス状態を認識することができる。
【００６５】
本実施形態では、第１〜第３主要被写体エリアＥＭ１〜ＥＭ３内に対応するデフォーカス量に基づき、デフォーカス画像５７ａ〜５７ｃを形成しているため、デフォーカス画像５７ａ〜５７ｃを確認しながらフォーカスリング１７を回転操作すると、第１〜第３主要被写体エリアＥＭ１〜ＥＭ３内のフォーカス調節が行われることになる。
【００６６】
フォーカスリング１７の回転操作により、デフォーカス量が「０」、すなわち、第１〜第３主要被写体エリアＥＭ１〜ＥＭ３のいずれか１つが合焦状態となった場合には、図１４Ｂに示すように、合焦状態となった主要被写体エリアのデフォーカス画像５７中の第１間隔Ｄ１が「０」となり、第１及び第２の指標５８，５９が一直線状に並ぶ。
【００６７】
近傍状態判定部５４は、主要被写体エリア検出部５１で検出された第１〜第３主要被写体エリアＥＭ１〜ＥＭ３のエリア情報に基づき、第１〜第３主要被写体エリアＥＭ１〜ＥＭ３の近傍状態、すなわち、第１〜第３主要被写体エリアＥＭ１〜ＥＭ３のうちいずれか１つと、他の１つとが接近して近傍位置にある状態、すなわち、水平方向Ｘにおける両者の隙間が、デフォーカス画像５７ａ〜５７ｃの水平方向Ｘにおける幅ＷＤよりも小さいか否かを判定し、小さい場合は近傍状態であると判定する。例えば、図１５に示すように、第１主要被写体エリアＥＭ１と、第３主要被写体エリアＥＭ３との水平方向Ｘにおける隙間Ｔが、デフォーカス画像５７ａ〜５７ｃの水平方向Ｘにおける幅ＷＤよりも小さい場合、第１主要被写体エリアＥＭ１と、第３主要被写体エリアＥＭ３とは、近傍状態であると判定される。
【００６８】
なお、デフォーカス画像５７ａ〜５７ｃの水平方向Ｘにおける幅ＷＤとは、例えば、第１及び第２の指標５８，５９の間隔Ｄ１が最も広がった状態における幅寸法である。また、デフォーカス画像表示エリアＥＤを示す長方形枠を表示させる場合には、この長方形枠の幅寸法を幅ＷＤとすることが好ましい。
【００６９】
表示位置制御部５５は、近傍状態判定部５４の判定結果及び第１〜第３主要被写体エリアＥＭ１〜ＥＭ３のエリア情報に基づき、デフォーカス画像５７ａ〜５７ｃの表示位置を制御する制御信号をファインダ内表示制御部４８に送信する。すなわち、近傍状態判定部５４が第１〜第３主要被写体エリアＥＭ１〜ＥＭ３のうちいずれか１つと、他の１つとが近傍状態であると判定された場合、１つの主要被写体エリアＥＭのデフォーカス画像５７を他の主要被写体エリアＥＭと重ならない位置に表示させることを指示する制御信号をファインダ内表示制御部４８に送信する。
【００７０】
本実施形態では、表示位置制御部５５は、第１〜第３主要被写体エリアＥＭ１〜ＥＭ３の各デフォーカス画像５７ａ〜５７ｃを表示させる際に、他の主要被写体エリアＥＭと重なるか否かに応じて、対応する主要被写体エリアＥＭの右側または左側のいずれに表示させるかを決定する。例えば、デフォーカス画像５７ａ〜５７ｃは、基本的には、第１〜第３主要被写体エリアＥＭ１〜ＥＭ３の右側に表示されるが、他の主要被写体エリアＥＭと重なる場合には、左側に表示される。
【００７１】
メディア制御部４６は、記録メディア５０への画像ファイルの記録及び読み出しを制御する。記録メディア５０は、例えば、フラッシュメモリを内蔵したメモリカードである。メディア制御部４６は、デジタル信号処理部４５によって圧縮された画像データを記録メディア５０に記録する。
【００７２】
背面表示制御部４７は、前述の背面表示部１４への画像表示を制御する。具体的には、背面表示制御部４７は、デジタル信号処理部４５により生成された画像データに基づいて、ＮＴＳＣ規格等に準拠した映像信号を生成して背面表示部１４に出力する。
【００７３】
一方、背面表示制御部４７は、マニュアルフォーカスモード下では、主要被写体エリア検出部５１の制御によって第１〜第３主要被写体エリアＥＭ１〜ＥＭ３を検出するために、背面表示部１４にライブビュー表示を行わせる。
【００７４】
ファインダ内表示制御部４８は、背面表示制御部４７と同様に画像データに基づいた映像信号を生成し、ＥＶＦＬＣＤ６１に出力する。
【００７５】
ファインダ部１５には、ＥＶＦＬＣＤ６１と、プリズム６２と、ＯＶＦシャッタ（光学シャッタ）６３とが設けられている。
【００７６】
ＥＶＦＬＣＤ６１は、上述した観察エリアＥに対応しており、被写体画像が表示される被写体表示エリアＥＳと、情報画像が表示される情報表示エリアＥＩとが設定される。さらに、被写体表示エリアＥＳ内には、第１〜第３主要被写体エリアＥＭ１〜ＥＭ３を示す長方形枠ＦＭ１〜ＦＭ３が設定される。情報表示エリアＥＩは、被写体表示エリアＥＳの下端に沿った長方形状に設定される。被写体画像は、デジタル信号処理部４５により生成される通常画像５６である。また、情報画像は、主制御部３２により生成される。
【００７７】
プリズム６２は、光路統合部としてのハーフミラー６８が内部に構成されている。ハーフミラー６８は、ファインダ対物窓１５ａに入射した被写体の光学像が伝搬する第１光路６９と、ＥＶＦＬＣＤ６１に表示された表示画像が伝搬する第２光路７０とに対して４５度の角度をなすように配置されている。このハーフミラー６８は、第１光路６９と第２光路７０とを統合して第３光路７１とする。この第３光路７１上にファインダ接眼部１５ａが配置されている。
【００７８】
ハーフミラー６８は、第１光路６９上を伝搬する光学像を一部透過させて第３光路７１に導き、第２光路７０上を伝搬する表示画像を一部反射させて第３光路７１に導く。これにより、光学像及び表示画像がファインダ接眼部１５ｂに導かれる。
【００７９】
ＯＶＦシャッタ６３は、液晶シャッタであり、第１光路６９上に配置されている。ＯＶＦシャッタ６３は、主制御部３２により制御され、ファインダ対物窓１５ａから入射する光学像を遮光してプリズム６２に入射させない「閉状態」と、光学像を透過させてプリズム６２に入射させる「開状態」との間で切り替えられる。ＯＶＦシャッタ６３は、ＯＶＦモードの場合に「開状態」とされ、ＥＶＦモードの場合に「閉状態」とされる。
【００８０】
ＥＶＦＬＣＤ６１は、バックライトと、液晶パネル（ともに図示せず）とを有し、バックライトが液晶パネルに光を照射し、液晶パネルを透過した光により画像表示が行われる。
【００８１】
ファインダ内表示制御部４８は、ＥＶＦモードとＯＶＦモードとで異なる映像信号を生成する。ＥＶＦモードでは、ファインダ内表示制御部４８は、通常画像５６、デフォーカス画像５７ａ〜５７ｃ、第１〜第３主要被写体エリアＥＭ１〜ＥＭ３のエリア情報、表示位置制御部５５の制御信号及び情報画像に基づいて映像信号を生成する。具体的には、ファインダ内表示制御部４８は、ＥＶＦＬＣＤ６１の被写体表示エリアＥＳ及び情報表示エリアＥＩのエリア情報を把握しており、被写体表示エリアＥＳに通常画像５６、第１〜第３主要被写体エリアＥＭ１〜ＥＭ３を示す長方形枠ＦＭ１〜ＦＭ３、デフォーカス画像５７ａ〜５７ｃを表示させ、情報表示エリアＥＩに情報画像を表示させる映像信号を生成する。この映像信号の情報表示エリアＥＩに対応する部分の信号値は、文字等の撮影情報を示す部分が最高階調（白色）レベルであり、その他の部分が最低階調（黒色）レベルである。
【００８２】
一方、ＯＶＦモードでは、ファインダ内表示制御部４８は、デフォーカス画像５７ａ〜５７ｃ、第１〜第３主要被写体エリアＥＭ１〜ＥＭ３のエリア情報、表示位置制御部５５の制御信号及び情報画像に基づいて映像信号を生成する。具体的には、ファインダ内表示制御部４８は、第１〜第３主要被写体エリアＥＭ１〜ＥＭ３を示す長方形枠ＦＭ１〜ＦＭ３、及びデフォーカス画像５７ａ〜５７ｃを除く被写体表示エリアＥＳを非表示とし、長方形枠ＦＭ１〜ＦＭ３と、デフォーカス画像５７ａ〜５７ｃと、情報表示エリアＥＩ内の情報画像を表示させる映像信号を生成する。
【００８３】
ＥＶＦＬＣＤ６１は、入力された映像信号に基づいて、液晶セルの光透過率が変更される。具体的には、液晶セルの光透過率は、映像信号の各信号値に応じた透過率に設定され、特に、信号値が黒色レベルの場合には最低透過率とされ、信号値が白色レベルの場合には最高透過率とされる。
【００８４】
ＥＶＦモード及びＯＶＦモードで映像信号を生成する場合、ファインダ内表示制御部４８は、表示位置制御部５５から送信された制御信号に基づきデフォーカス画像５７ａ〜５７ｃを表示させる位置を変更する。また、ファインダ内表示制御部４８は、主要被写体エリアＥＭ外であり、且つ主要被写体エリアＥＭに近接してデフォーカス画像５７を表示させる。ここで、近接とは、デフォーカス画像５７が主要被写体エリアＥＭに接している状態に限られず、デフォーカス画像５７が主要被写体エリアＥＭからある程度離間していてもよい。例えば、主要被写体エリアＥＭの水平方向Ｘにおける幅をＷＭ（図９参照）とした場合に、デフォーカス画像５７を、主要被写体エリアＥＭの側辺から幅ＷＭの範囲内に表示させた状態を、近接した状態と定義する。
【００８５】
本実施形態では、ファインダ内表示制御部４８は、表示位置制御部５５から送信された制御信号に基づき、第１〜第３主要被写体エリアＥＭ１〜ＥＭ３の各デフォーカス画像５７ａ〜５７ｃを、その第１〜第３主要被写体エリアＥＭ１〜ＥＭ３の右側または左側に近接して表示させる。
【００８６】
すなわち、ファインダ内表示制御部４８は、第１〜第３主要被写体エリアＥＭ１〜ＥＭ３のうちいずれか１つが、他の１つと近傍状態であると判定された場合には、近傍状態と判定された主要被写体エリアＥＭのデフォーカス画像５７を、他の主要被写体エリアＥＭと重ならない位置に表示させる。また、ファインダ内表示制御部４８は、近傍状態でないと判定された主要被写体エリアＥＭのデフォーカス画像５７については、主要被写体エリアＥＭに近接した所定位置（例えば、主要被写体エリアＥＭの右側）に表示させる。
【００８７】
例えば、図１５に示すように、第１主要被写体エリアＥＭ１と、第３主要被写体エリアＥＭ３とが近傍状態であると判定された場合には、ファインダ内表示制御部４８は、デフォーカス画像５７ａを、第３主要被写体エリアＥＭ３と重ならない位置、すなわち、対応する第１主要被写体エリアＥＭ１の左側に表示させる。また、ファインダ内表示制御部４８は、デフォーカス画像５７ｃを、第１主要被写体エリアＥＭ１と重ならない位置、すなわち、対応する第３主要被写体エリアＥＭ３の右側に表示させる。また、図１５に示す第２主要被写体エリアＥＭ２のように、他の１つと近傍状態ではないと判定された場合、ファインダ内表示制御部４８は、デフォーカス画像５７ｂを、所定位置である第２主要被写体エリアＥＭ２の右側に表示させる。
【００８８】
以上のように、ＥＶＦモードでは、ＥＶＦＬＣＤ６１の被写体表示エリアＥＳには通常画像５６及び長方形枠ＦＭ１〜ＦＭ３、デフォーカス画像５７ａ〜５７ｃが表示され、情報表示エリアＥＩには情報画像が表示される。この結果、図１５に示す被写体像、長方形枠ＦＭ１〜ＦＭ３、デフォーカス画像５７ａ〜５７ｃ、及び情報画像などがファインダ接眼部１５ａの観察エリアＥに導かれる。
【００８９】
一方、ＯＶＦモードでは、長方形枠ＦＭ１〜ＦＭ３とデフォーカス画像５７ａ〜５７ｃとを除く被写体表示エリアＥＳには通常画像５６が表示されず黒色である。ＯＶＦモードでは、デフォーカス画像表示エリアＥＤにはデフォーカス画像５７が表示され、情報表示エリアＥＩには情報画像が表示される。ＯＶＦモードでは、ＯＶＦシャッタ６３は「開状態」とされているため、光学像がＯＶＦシャッタ６３を透過し、第１光路６９上を伝搬してハーフミラー６８を透過することにより、第３光路７１に導かれる。この結果、図１６に示すように、光学像Ｐ１と、情報画像、長方形枠ＦＭ１〜ＦＭ３、及びデフォーカス画像５７ａ〜５７ｃからなる画像Ｐ２とが重ね合わせられたＯＶＦ画像Ｐ３がファインダ接眼窓２６ａの観察エリアＥに導かれる。
【００９０】
次に、デジタルカメラ１１の作用について図１７に示すフローチャートに沿って説明する。まず、撮影者により、電源ボタン１９が操作されて電源がオン状態になると、デジタルカメラ１１の各部に電源電圧が供給される。また、モードボタン２４が操作されて、撮影モードが選択されると、撮像素子３１、主制御部３２及びファインダ部１５が動作を開始する。なお、図１７に示すフローチャートでは、ファインダ切替レバー２１の設定がＥＶＦモード、ＡＦ／ＭＦ切替スイッチ２３の設定がマニュアルフォーカスモードの場合について説明する。
【００９１】
撮像素子３１が動作を開始すると、被写体像が撮影光学系１６を通して受光面３１ａに入射し、通常画素３５、第１位相差画素３６ａ及び第２位相差画素３６ｂによって光電変換されて画像データが出力される（Ｓ１）。画像データが出力されると、主要被写体エリア検出部５１は、背面表示制御部４７を介して背面表示部１４にライブビュー表示を行わせるとともに、タッチパネル２７を動作させて、主要被写体エリアの検出を行う（Ｓ２）。
【００９２】
主要被写体エリア検出部５１が複数の主要被写体エリア、例えば第１〜第３主要被写体エリアＥＭ１〜ＥＭ３が検出された場合（Ｓ３でＹ）、近傍状態判定部５４は、第１〜第３主要被写体エリアＥＭ１〜ＥＭ３のエリア情報に基づき近傍状態を判定する（Ｓ４）。表示位置制御部５５は、近傍状態判定部５４の判定結果、及び第１〜第３主要被写体エリアＥＭ１〜ＥＭ３のエリア情報に基づき、デフォーカス画像５７ａ〜５７ｃの表示位置を制御する制御信号をファインダ内表示制御部４８に送信する（Ｓ５）。
【００９３】
また、主要被写体エリア検出部５１が１つの主要被写体エリアだけ検出した場合は（Ｓ３でＮ）、近傍状態の判定、及びデフォーカス画像の表示位置を制御する制御信号の送信を行わない。また、主要被写体エリア検出部５１が２つだけ主要被写体エリアを検出した場合は、３つの主要被写体エリアＥＭ１〜ＥＭ３が検出された場合と同様に、近傍状態の判定、及びデフォーカス画像の表示位置を制御する制御信号の送信を行う。なお、主要被写体エリア検出部５１によって主要被写体エリアＥＭが検出されない場合は、前回の撮影モードで設定された主要被写体エリアＥＭのエリア情報を用いて近傍状態の判定、及びデフォーカス画像の表示位置を制御する制御信号の送信を行ってもよい。
【００９４】
メモリ４９に一旦蓄積された画像データはデジタル信号処理部４５に出力される。デジタル信号処理部４５によって、通常画素３５から出力された撮像信号に基づいて通常画像５６が生成される（Ｓ６）。一方、デジタル信号処理部４５では、第１〜第３主要被写体エリアＥＭ１〜ＥＭ３に含まれる第１及び第２位相差画素３６ａ，３６ｂから出力された第１及び第２撮像信号に基づいてデフォーカス量が検出され、このデフォーカス量に基づき、デフォーカス画像５７ａ〜５７ｃが生成される（Ｓ７）。そして、第１〜第３主要被写体エリアＥＭ１〜ＥＭ３のエリア情報、通常画像５６及びデフォーカス画像５７ａ〜５７ｃがファインダ内表示制御部４８に送られる。また、ファインダ内表示制御部４８には、撮影モード、シャッタ速度、絞りなどの撮影情報も送られる。
【００９５】
ファインダ内表示制御部４８は、第１〜第３主要被写体エリアＥＭ１〜ＥＭ３のエリア情報、通常画像５６、デフォーカス画像５７ａ〜５７ｃ及び情報画像と、表示位置制御部５５の制御信号に基づいて映像信号を生成し、ＥＶＦＬＣＤ６１に表示させる。例えば、第１〜第３主要被写体エリアＥＭ１〜ＥＭ３のうちいずれか１つと、他の１つとが近傍状態であると判定された場合（Ｓ８でＹ）、近傍状態と判定された１つの主要被写体エリアＥＭのデフォーカス画像５７を他の主要被写体エリアＥＭと重ならない位置に表示させる映像信号を生成し、ＥＶＦＬＣＤ６１に表示させる（Ｓ９）。一方、第１〜第３主要被写体エリアＥＭ１〜ＥＭ３のうちいずれか１つと、他の１つとが近傍状態ではないと判定された場合、あるいは、主要被写体エリアＥＭが１つだけ検出された場合、主要被写体エリアＥＭに近接した所定位置（例えば、右側）にデフォーカス画像５７を表示させる映像信号を生成し、ＥＶＦＬＣＤ６１に表示させる（Ｓ１０）。
【００９６】
１フレーム分の撮影ごとに、撮像素子３１から出力される画像データと、主要被写体エリアＥＭのエリア情報に基づき、通常画像５６、デフォーカス画像５７が生成され、ＥＶＦＬＣＤ６１に表示される。デフォーカス画像５７の第１及び第２の指標５８，５９の第１間隔Ｄ１が離間した位置にある場合には、フォーカスリング１７の回転操作により、撮影光学系１６のフォーカス調節を行うと、デフォーカス量の変化に応じてデフォーカス画像５７が変化する。そして、フォーカスリング１７の回転操作により、撮影光学系１６が合焦状態となった場合、第１間隔Ｄ１が「０」になり、第１及び第２の指標５８，５９が一直線状となる。撮影者は、デフォーカス画像５７を通じて、撮影光学系１６のフォーカス状態を認識することができる。
【００９７】
撮影者は、デフォーカス画像５７を確認しながらフォーカス調節を行った後、レリーズボタン２０を押圧操作して、撮影操作を行う（Ｓ１１でＹ）。レリーズボタン２０が押圧されると、撮像素子３１によって撮像が行われ、通常画像５６が生成される。そして、この通常画像５６が、圧縮処理されてから、メディア制御部４６を介して記録メディア５０に記録される（Ｓ１２）。また、撮影操作が行われない場合（Ｓ１１でＮ）には、ステップＳ１に戻る。
【００９８】
以上のように、複数の主要被写体エリアＥＭ１〜ＥＭ３が検出された場合であっても、１つの主要被写体エリアＥＭのデフォーカス画像５７を、他の主要被写体エリアＥＭと重ならない位置に表示させているので、デフォーカス画像５７は、撮影者により視認されやすい最適な位置に表示される。
【００９９】
［第２実施形態］
上記第１実施形態では、デフォーカス画像５７を構成する第１及び第２の指標５８，５９を、水平方向Ｘ（第１方向）に離間させているが、第２実施形態では、図１８Ａに示すように、第１及び第２の指標５８，５９を、水平方向Ｘに加えて、水平方向Ｘと直交する垂直方向Ｙ（第２方向）にも離間させる。この場合、撮影光学系１６のデフォーカス量が小さいほど、垂直方向Ｙにおける第１及び第２の指標５８，５９の間の間隔である第１間隔Ｄ２を小さくする。なお、この第２実施形態、及びこれ以降の各実施形態では、デジタルカメラの形状は、第１実施形態の正面、背面、各側面，平面、及び底面と同じである。
【０１００】
図１８Ｂに示すように、フォーカスリング１７の回転操作により、デフォーカス量が「０」、すなわち、撮影光学系１６が合焦状態となった場合には、第１間隔Ｄ１及び第２間隔Ｄ２がともに「０」になり、第１及び第２の指標５８，５９が一直線状に配される。
【０１０１】
［第３実施形態］
第３実施形態は、図１９Ａに示すように、第１の指標５８に凸部５８ａを設け、第２の指標５９に凹部５９ａを設けたものである。凸部５８ａは、垂直方向Ｙにおいて、第１の指標５８の第２の指標５９に対向する部分に設けられている。凹部５９ａは、垂直方向Ｙにおいて、第２の指標５９の第１の指標５８に対向する部分に設けられている。第１及び第２の指標５８，５９は、第２実施形態と同様に水平方向Ｘ及び垂直方向Ｙに離間している。図１９Ｂに示すように、デフォーカス量が「０」、すなわち、撮影光学系１６が合焦状態となった場合には、第１及び第２の指標５８，５９の間隔が「０」になり、凸部５８ａと凹部５９ａとが嵌合される。
【０１０２】
［第４実施形態］
第１〜第３実施形態では、撮影光学系１６が合焦状態となった場合に、第１及び第２の指標５８，５９の間隔が「０」となり一直線状となるが、さらに、第４実施形態では、合焦状態となった場合に、第１及び第２の指標５８，５９が一直線状となって両者の境界を表す境界線が消滅し、一体化する。例えば、図２０Ａに示すように、デフォーカス量に応じて水平方向Ｘ、垂直方向Ｙについて第１及び第２の指標５８，５９が離間しているが、図２０Ｂに示すように、デフォーカス量が「０」、すなわち、撮影光学系１６が合焦状態となった場合に、第１及び第２の指標５８，５９が一体化する。
【０１０３】
上記第１〜第４実施形態では、デフォーカス量が「０」である状態を合焦状態としているが、これに限らず、デフォーカス量が焦点深度内である状態（すなわち、被写体が被写界深度内である状態）を合焦状態としてもよい。なお、デフォーカス量が焦点深度内である状態は、錯乱円径が許容錯乱円径以下の範囲内である状態に相当する。また、デフォーカス量が「０」である状態は、錯乱円径が最も小さい状態に相当する。
【０１０４】
このように、デフォーカス量が焦点深度内である状態を合焦状態とする場合には、デフォーカス量が焦点深度内となった第１段階と、デフォーカス量が「０」となった第２段階とで、デフォーカス画像５７の表示を変化させることが好ましい。例えば、第１段階では、第１及び第２の指標５８，５９を一直線状に配する。この第１段階では、第１及び第２の指標５８，５９の間に、両者の境界を表す境界線が表示されている。第２段階では、境界線を消去し、第１及び第２の指標５８，５９を一体化させる。
【０１０５】
さらに、第１段階と第２段階との２つの段階に限られず、第１段階と第２段階との間で、デフォーカス画像５７を段階的または連続的に変化させることも好ましい。例えば、デフォーカス量が焦点深度内となった場合に、第１段階として、第１及び第２の指標５８，５９を一直線状に配する。そして、デフォーカス量が減少するにつれて、第１及び第２の指標５８，５９の境界線を、段階的または連続的に消去する。例えば、デフォーカス量が減少するにつれて、境界線の濃度を薄くする。そして、デフォーカス量が「０」となった場合に、第２段階として、境界線を完全に消去し、第１及び第２の指標５８，５９を一体化させる。
【０１０６】
［第５実施形態］
第５実施形態では、デフォーカス量が、撮影光学系１６の焦点深度内か否かを判定（すなわち、被写体が被写界深度内にあるか否かを判定）し、デフォーカス量が焦点深度外にあると判定された場合には、デフォーカス量によらず、第２方向の間隔を一定とする。本実施形態では、例えば、デジタル信号処理部４５が、デフォーカス量が焦点深度内か否かを判定する判定部として機能し、この判定結果、及びデフォーカス量に応じてデフォーカス画像５７を作成する。
【０１０７】
判定部によりデフォーカス量が焦点深度外にあると判定された場合には、図２１Ａに示すように、デフォーカス量に依らず第２間隔Ｄ２を一定値Ｈとする。一方、判定部によりデフォーカス量が焦点深度内にあると判定された場合には、図２１Ｂに示すように、デフォーカス量に応じて第２間隔Ｄ２を変更する。この結果、デフォーカス量が焦点深度内にある場合には、第２間隔Ｄ２は、一定値Ｈより小さく、かつデフォーカス量が小さいほど小さくなる。
【０１０８】
［第６実施形態］
上記各実施形態では、ファインダ部１５の表示モードとして、ＯＶＦモードとＥＶＦモードとを挙げているが、光学像に電子像を重畳させて表示する重畳表示モードを実行することも可能である。この重畳表示モードでは、図２２に示すように、観察エリアＥのコーナー付近に電子像である通常画像８０を表示させる。この通常画像８０は、被写体表示エリアＥＳ内の被写体像に対応している。重畳表示モードでは、主制御部３２は、ＯＶＦシャッタ６３を制御して、通常画像８０に対応する領域を遮光させる。これにより、撮影者は、デフォーカス画像５７とともに、通常画像８０によっても撮影光学系１６のフォーカス状態を認識することができる。
【０１０９】
［第７実施形態］
第７実施形態は、上記第１〜第６実施形態の構成に加えて、観察エリアＥ内に被写界深度を示す被写界深度情報画像を表示させる。図２３に示すように、上記第１〜第６実施形態と同様に、ファインダ部１５には、観察エリアＥ内に被写体表示エリアＥＳと情報表示エリアＥＩとが設定されている。被写体表示エリアＥＳ内には、第１〜第３主要被写体エリアＥＭ１〜ＥＭ３（長方形枠ＦＭ１〜ＦＭ３で示す領域）が設定されている。図２４に示すように、主要被写体エリアＥＭ１〜ＥＭ３に近接して、主要被写体エリアＥＭ１〜ＥＭ３の右側または左側に第１〜第３デフォーカス画像５７ａ〜５７ｃが表示される。上記第１〜第６実施形態と同様に、第１〜第３デフォーカス画像５７ａ〜５７ｃは、第１及び第２の指標５８，５９から構成され、撮影光学系１６のデフォーカス量が小さいほど、第１及び第２の指標５８，５９の間の間隔が小さくなる。また、被写体表示エリアＥＳは、上記第１〜第６実施形態と同様に、被写体の光学像又は通常画像５６が観察可能な領域であり、図２３の破線で示す被写体像Ｓは、ＯＶＦモードでは光学像であり、ＥＶＦモードでは通常画像５６である。
【０１１０】
本実施形態では、被写体表示エリアＥＳと情報表示エリアＥＩとの間に被写界深度情報画像８１を表示させる。図２５に示すように、被写界深度情報画像８１は、目盛りが付された横長帯状の距離指標８２、合焦位置を示す縦線８３、及び被写界深度を示す矩形エリア８４（ハッチングで示す範囲）によって構成される。マニュアルフォーカスモードの場合、フォーカスリング１７の回転操作によりフォーカス状態が調節され、それに連動して合焦位置を示す縦線８３が距離指標８２上を左右に移動し、また、絞りリング１８の回転操作により絞り値が調節され、それに連動して絞り値に関連する矩形エリア８４が合焦位置８３を示す縦線８３を中心に距離指標８２上で伸縮して表示される。
【０１１１】
被写界深度を示す矩形エリア８４は、例えば、主要被写体エリアＥＭ１〜ＥＭ３のうち、最もデフォーカス量が小さい、すなわち合焦状態に近い１つの主要被写体エリアＥＭ１〜ＥＭ３に対応する被写界深度を表す。また、上記第６実施形態と同様に、重畳表示モードでは、観察エリアＥのコーナー付近に電子像である通常画像８０を表示させる。この通常画像８０は、被写体表示エリアＥＳ内の被写体像Ｓに対応している。
【０１１２】
［第８実施形態］
第８実施形態は、上記第７実施形態の第１及び第２の指標５８，５９に対して横幅の狭い第１及び第２の指標８６，８７から第１〜第３デフォーカス画像５７ａ〜５７ｃを構成したものである。図２６及び図２７に示すように、第１及び第２の指標８６，８７は、水平方向Ｘにおける横幅が上記第７実施形態の第１及び第２の指標５８，５９よりも狭くなっている。第１及び第２の指標５８，５９と同様に、撮影光学系１６のデフォーカス量が小さいほど、第１及び第２の指標８６，８７の間の間隔が小さくなる。第１及び第２の指標８６，８７以外の構成は、上記第７実施形態と同様である。
【０１１３】
［第９実施形態］
第９実施形態は、上記第７実施形態の第１及び第２の指標５８，５９に対して縦に短い第１及び第２の指標８８，８９から第１〜第３デフォーカス画像５７ａ〜５７ｃを構成したものである。図２８及び図２９に示すように、第１及び第２の指標８８，８９は、垂直方向Ｙにおける縦の長さが上記第７実施形態の第１及び第２の指標５８，５９よりも短くなっている。第１及び第２の指標５８，５９と同様に、撮影光学系１６のデフォーカス量が小さいほど、第１及び第２の指標８８，８９の間の間隔が小さくなる。第１及び第２の指標８６，８７以外の構成は、上記第７実施形態と同様である。
【０１１４】
［第１０実施形態］
第１０実施形態は、第１〜第３デフォーカス画像５７ａ〜５７ｃを、主要被写体エリアＥＭ１〜ＥＭ３の下方に表示させたものである。図３０及び図３１に示すように、第１〜第３デフォーカス画像５７ａ〜５７ｃは、対応する主要被写体エリアＥＭ１〜ＥＭ３に近接して、主要被写体エリアＥＭ１〜ＥＭ３の下方に配置されている。第１〜第３デフォーカス画像５７ａ〜５７ｃを主要被写体エリアＥＭ１〜ＥＭ３の下方に配置したこと以外の構成は、上記第９実施形態と同様である。
【０１１５】
［第１１実施形態］
第１１実施形態は、三角形状の第１及び第２の指標９０，９１から第１〜第３デフォーカス画像５７ａ〜５７ｃを構成したものである。図３２、図３３Ａ及び図３３Ｂに示すように、第１〜第３デフォーカス画像５７ａ〜５７ｃは、下向きの正三角形状をした第１の指標９０と、上向きの正三角形状をした第２の指標９１とから表される。主要被写体エリアＥＭ１〜ＥＭ３に近接して、主要被写体エリアＥＭ１〜ＥＭ３の右側または左側に第１〜第３デフォーカス画像５７ａ〜５７ｃが表示される。第１及び第２の指標９０，９１以外の構成は、上記第７実施形態と同様である。
【０１１６】
図３３Ａに示すように、第１〜第３主要被写体エリアＥＭ１〜ＥＭ３が非合焦状態の場合、第１及び第２の指標９０，９１は、互いに対向する頂点９０ａ，９１ａが水平方向Ｘ及び垂直方向Ｙに互いに離間している。頂点９０ａ，９１ａの水平方向Ｘ及び垂直方向Ｙにおける第１及び第２間隔Ｄ１，Ｄ２は、撮影光学系１６のデフォーカス量を表している。第１及び第２間隔Ｄ１，Ｄ２は、デフォーカス量が小さいほど小さい。
【０１１７】
フォーカスリング１７の回転操作により、デフォーカス量が「０」、すなわち、第１〜第３主要被写体エリアＥＭ１〜ＥＭ３のいずれか１つが合焦状態となった場合には、図３３Ｂに示すように、第１及び第２間隔Ｄ１，Ｄ２が「０」となり、第１及び第２の指標９０，９１の頂点９０ａ，９１ａが一致する位置に並ぶ。
【０１１８】
［第１２実施形態］
第１２実施形態は、第１〜第３デフォーカス画像５７ａ〜５７ｃを、被写体表示エリアＥＳの右側に表示させたものである。図３４及び図３５に示すように、主要被写体エリアＥＭ１〜ＥＭ３に対応する第１〜第３デフォーカス画像５７ａ〜５７ｃは、被写体表示エリアＥＳに近接して、被写体表示エリアＥＳの右側に配置されている。第１〜第３デフォーカス画像５７ａ〜５７ｃは、主要被写体エリアＥＭ１〜ＥＭ３に対応して上から順に配置されている。第１〜第３デフォーカス画像５７ａ〜５７ｃを、被写体表示エリアＥＳの右側に配置したこと以外の構成は、上記第７実施形態と同様である。
【０１１９】
［第１３実施形態］
第１３実施形態は、上記第１２実施形態の構成に加えて、第１〜第３主要被写体エリアＥＭ１〜ＥＭ３のいずれか１つが合焦状態となった場合には、対応する長方形枠ＦＭ１〜ＦＭ３及び第１〜第３デフォーカス画像５７ａ〜５７ｃの色を変化させる。図３６に示すように、上記第１２実施形態と同様に、主要被写体エリアＥＭ１〜ＥＭ３に対応する第１〜第３デフォーカス画像５７ａ〜５７ｃは、被写体表示エリアＥＳに近接して、被写体表示エリアＥＳの右側に配置されている。
【０１２０】
図３７Ａ及び図３７Ｂに示すように、主要被写体エリアＥＭ１〜ＥＭ３のいずれか１つが非合焦状態（図３７Ａ）から、合焦状態となった場合（図３７Ｂ）には、対応する長方形枠ＦＭ１〜ＦＭ３の色が変化する。なお、図３６において、ハッチングを掛けた長方形枠ＦＭ１は、長方形枠ＦＭ２，ＦＭ３に対して色が変化したことを示すものである。
【０１２１】
一方、図３８に示すように、第１〜第３デフォーカス画像５７ａ〜５７ｃのうち、１つのデフォーカス画像５７ａの色が、他のデフォーカス画像５７ｂ，５７ｃに対して色が変化している。これは、主要被写体エリアＥＭ１〜ＥＭ３のうち、主要被写体エリアＥＭ１が合焦状態となった場合、対応するデフォーカス画像５７ａの色が変化したことを示すものである。なお、図３８において、ハッチングを掛けたデフォーカス画像５７ａは、デフォーカス画像５７ｂ，５７ｃに対して色が変化したことを示すものである。
【０１２２】
図３６及び図３８に示すように、主要被写体エリアＥＭ１が合焦状態となった場合、主要被写体エリアＥＭ１に対応する長方形枠ＦＭ１及びデフォーカス画像５７ａはともに同じ色、例えば白から緑に変化する。なお、第１〜第３主要被写体エリアＥＭ１〜ＥＭ３のいずれか１つが合焦状態となった場合には、対応する長方形枠ＦＭ１〜ＦＭ３の色を変化させるだけではなく、線の太さを変化させてもよい。
【０１２３】
［第１４実施形態］
第１４実施形態は、三角形状の第１及び第２の指標９２，９３から構成される第１〜第３デフォーカス画像５７ａ〜５７ｃを、被写体表示エリアＥＳの右側に表示させたものである。図３９に示すように、上記第１２実施形態と同様に、主要被写体エリアＥＭ１〜ＥＭ３に対応する第１〜第３デフォーカス画像５７ａ〜５７ｃは、被写体表示エリアＥＳに近接して、被写体表示エリアＥＳの右側に配置されている。第１及び第２の指標９０，９１以外の構成は、上記第１２実施形態と同様である。第１〜第３デフォーカス画像５７ａ〜５７ｃは、下向きの三角形状をした第１の指標９２と、上向きの三角形状をした第２の指標９３とから表される。
【０１２４】
図４０Ａ及び図４０Ｂに示すように、第１〜第３主要被写体エリアＥＭ１〜ＥＭ３が非合焦状態の場合、第１及び第２の指標９２，９３は、互いに対向する頂点９２ａ，９３ａが水平方向Ｘ及び垂直方向Ｙに互いに離間している。頂点９２ａ，９３ａの水平方向Ｘ及び垂直方向Ｙにおける第１及び第２間隔Ｄ１，Ｄ２は、撮影光学系１６のデフォーカス量を表している。第１及び第２間隔Ｄ１，Ｄ２は、デフォーカス量が小さいほど小さい。なお、この場合、第１及び第２の指標９２，９３は、上記第１１実施形態の第１及び第２の指標９０，９１とは異なり、水平方向Ｘの寸法が垂直方向Ｙの寸法に対して小さい不等辺三角形となっている。これは、水平方向Ｘにおける第１及び第２の指標９２，９３の寸法を狭めるためであり、図３９に示すように、被写体表示エリアＥＳの右側のスペースが狭くても第１及び第２の指標９２，９３を表示させることができる。
【０１２５】
図４０Ａに示すように、第１〜第３主要被写体エリアＥＭ１〜ＥＭ３が非合焦状態、且つ前ピン状態、すなわち第１〜第３主要被写体エリアＥＭ１〜ＥＭ３内の被写体に対して前方に合焦位置があるフォーカス状態の場合、第１の指標９２に対して第２の指標９３が右側に位置している。これにより、第１〜第３デフォーカス画像５７ａ〜５７ｃに対応する第１〜第３主要被写体エリアＥＭ１〜ＥＭ３内が前ピン状態であることを示している。なお、第１〜第３主要被写体エリアＥＭ１〜ＥＭ３内が前ピン状態、または後ピン状態であることは、第１〜第３主要被写体エリアＥＭ１〜ＥＭ３内のデフォーカス量に基づき判定される。
【０１２６】
図４０Ｂに示すように、第１〜第３主要被写体エリアＥＭ１〜ＥＭ３が非合焦状態、且つ後ピン状態、すなわち第１〜第３主要被写体エリアＥＭ１〜ＥＭ３内の被写体に対して後方に合焦位置があるフォーカス状態の場合、第１の指標９２に対して第２の指標９３が左側に位置している。これにより、第１〜第３デフォーカス画像５７ａ〜５７ｃに対応する第１〜第３主要被写体エリアＥＭ１〜ＥＭ３内が後ピン状態であることを示している。
【０１２７】
フォーカスリング１７の回転操作により、デフォーカス量が「０」、すなわち、第１〜第３主要被写体エリアＥＭ１〜ＥＭ３のいずれか１つが合焦状態となった場合には、図４０Ｃに示すように、第１及び第２間隔Ｄ１，Ｄ２が「０」となり、第１及び第２の指標９２，９３の頂点９２ａ，９３ａが一致する位置に並ぶ。なお、この場合、第１及び第２の指標９２，９３は、上記第１１実施形態の第１及び第２の指標９０，９１と同様に正三角形状に変化する。
【０１２８】
以上のように、第１及び第２の指標９２，９３の形状及び位置によって、第１〜第３主要被写体エリアＥＭ１〜ＥＭ３内が前ピン状態、後ピン状態、または合焦状態であることを容易に認識することができる。
【０１２９】
［第１５実施形態］
第１５実施形態は、上記第１４実施形態の構成に加えて、第１〜第３主要被写体エリアＥＭ１〜ＥＭ３のいずれか１つが合焦状態となった場合には、対応する第１〜第３デフォーカス画像５７ａ〜５７ｃの１つを、合焦状態を示す別の形状の指標に変化させるものである。図４１に示すように、上記第１２実施形態と同様に、主要被写体エリアＥＭ１〜ＥＭ３に対応する第１〜第３デフォーカス画像５７ａ〜５７ｃは、被写体表示エリアＥＳに近接して、被写体表示エリアＥＳの右側に配置されている。
【０１３０】
図４２Ａ及び図４２Ｂに示すように、第１〜第３主要被写体エリアＥＭ１〜ＥＭ３が非合焦状態の場合、上記第１４実施形態と同様に、第１〜第３デフォーカス画像５７ａ〜５７ｃは、下向きの三角形状をした第１の指標９２と、上向きの三角形状をした第２の指標９３とから表される。第１及び第２の指標９２，９３は、互いに対向する頂点９２ａ，９３ａが水平方向Ｘ及び垂直方向Ｙに互いに離間している。頂点９２ａ，９３ａの水平方向Ｘ及び垂直方向Ｙにおける第１及び第２間隔Ｄ１，Ｄ２は、撮影光学系１６のデフォーカス量を表している。第１及び第２間隔Ｄ１，Ｄ２は、デフォーカス量が小さいほど小さい。
【０１３１】
図４２Ａに示すように、第１〜第３主要被写体エリアＥＭ１〜ＥＭ３が非合焦状態、且つ前ピン状態、すなわち第１〜第３主要被写体エリアＥＭ１〜ＥＭ３内の被写体に対して前方に合焦位置があるフォーカス状態の場合、上記第１４実施形態と同様に、第１の指標９２に対して第２の指標９３が右側に位置している。これにより、第１〜第３デフォーカス画像５７ａ〜５７ｃに対応する第１〜第３主要被写体エリアＥＭ１〜ＥＭ３内が前ピン状態であることを示している。
【０１３２】
図４２Ｂに示すように、第１〜第３主要被写体エリアＥＭ１〜ＥＭ３が非合焦状態、且つ後ピン状態、すなわち第１〜第３主要被写体エリアＥＭ１〜ＥＭ３内の被写体に対して後方に合焦位置があるフォーカス状態の場合、上記第１４実施形態と同様に、第１の指標９２に対して第２の指標９３が左側に位置している。これにより、第１〜第３デフォーカス画像５７ａ〜５７ｃに対応する第１〜第３主要被写体エリアＥＭ１〜ＥＭ３内が後ピン状態であることを示している。
【０１３３】
フォーカスリング１７の回転操作により、デフォーカス量が「０」、すなわち、第１〜第３主要被写体エリアＥＭ１〜ＥＭ３のいずれか１つが合焦状態となった場合には、図４２Ｂに示すように、対応する第１〜第３デフォーカス画像５７ａ〜５７ｃが合焦状態を示す円形状の指標９４に変化する。
【０１３４】
以上のように、第１及び第２の指標９２，９３の形状及び位置、また三角形から円形状の指標９４に変化することによって、第１〜第３主要被写体エリアＥＭ１〜ＥＭ３内が前ピン状態、後ピン状態、または合焦状態であることを容易に認識することができる。
【０１３５】
［第１６実施形態］
第１６実施形態は、上記第１〜第１５実施形態のような第１〜第３デフォーカス画像５７ａ〜５７ｃではなく、第１〜第３主要被写体エリアＥＭ１〜ＥＭ３に対応する長方形枠ＦＭ１〜ＦＭ３の太さと色を変化させる。図４３に示すように、第１〜第３主要被写体エリアＥＭ１〜ＥＭ３内のデフォーカス量に応じて、対応する長方形枠ＦＭ１〜ＦＭ３の上部の太さを変化させる。
【０１３６】
図４４Ａ及び図４４Ｂに示すように、本実施形態では、第１〜第３主要被写体エリアＥＭ１〜ＥＭ３のデフォーカス量に基づき、対応する長方形枠ＦＭ１〜ＦＭ３の上部９５ａの太さを変化させる。一方、長方形枠ＦＭ１〜ＦＭ３の下部９５ｂの太さは、第１〜第３主要被写体エリアＥＭ１〜ＥＭ３のデフォーカス量に依らず一定である。図４４Ａに示すように、長方形枠ＦＭ１〜ＦＭ３の上部９５ａの太さと下部９５ｂの太さとの差Ｄ３は、第１〜第３主要被写体エリアＥＭ１〜ＥＭ３内におけるデフォーカス量を表している。
【０１３７】
フォーカスリング１７の回転操作により、デフォーカス量が「０」、すなわち、第１〜第３主要被写体エリアＥＭ１〜ＥＭ３のいずれか１つが合焦状態となった場合には、長方形枠ＦＭ１〜ＦＭ３は、図４４Ｂに示すように、上部９５ａの太さと下部９５ｂの太さの差が「０」となり、上部９５ａの太さと下部９５ｂの太さが一致する。また、この場合、長方形枠ＦＭ１〜ＦＭ３の色が変化する。なお、図４３において、ハッチングを掛けた長方形枠ＦＭ１は、長方形枠ＦＭ２，ＦＭ３に対して色が変化したことを示すものである。この場合、長方形枠ＦＭ１は、例えば白から緑に変化する。
【０１３８】
［第１７実施形態］
第１７実施形態は、上記第１６実施形態の構成に加えて、非合焦状態情報画像９６ａ，９６ｂ、または合焦状態情報画像９６ｃを表示させるものである。図４５に示すように、非合焦状態情報画像９６ａ，９６ｂ、または合焦状態情報画像９６ｃは、対応する主要被写体エリアＥＭ１〜ＥＭ３に近接して、主要被写体エリアＥＭ１〜ＥＭ３の下方に配置されている。非合焦状態情報画像９６ａ，９６ｂ、または合焦状態情報画像９６ｃを主要被写体エリアＥＭ１〜ＥＭ３の下方に配置したこと以外の構成は、上記第１６実施形態と同様である。
【０１３９】
図４６Ａに示すように、第１〜第３主要被写体エリアＥＭ１〜ＥＭ３が非合焦状態、且つ前ピン状態、すなわち第１〜第３主要被写体エリアＥＭ１〜ＥＭ３内の被写体に対して前方に合焦位置があるフォーカス状態の場合、非合焦状態情報画像９６ａが表示される。非合焦状態情報画像９６ａは、横長帯状の長方形枠の中に、右端部付近に前ピン状態を示す指標９７ａが配置されている。なお、第１〜第３主要被写体エリアＥＭ１〜ＥＭ３内が前ピン状態、または後ピン状態であることは、第１〜第３主要被写体エリアＥＭ１〜ＥＭ３内のデフォーカス量に基づき判定される。
【０１４０】
図４６Ｂに示すように、第１〜第３主要被写体エリアＥＭ１〜ＥＭ３が非合焦状態、且つ後ピン状態、すなわち第１〜第３主要被写体エリアＥＭ１〜ＥＭ３内の被写体に対して後方に合焦位置があるフォーカス状態の場合、非合焦状態情報画像９６ｂが表示される。非合焦状態情報画像９６ｂは、横長帯状の長方形枠の中に、左端部付近に後ピン状態を示す指標９７ｂが配置されている。
【０１４１】
フォーカスリング１７の回転操作により、デフォーカス量が「０」、すなわち、第１〜第３主要被写体エリアＥＭ１〜ＥＭ３のいずれか１つが合焦状態となった場合には、図４６Ｃに示すように、合焦状態情報画像９６ｃが表示される。合焦状態情報画像９６ｃは、横長帯状の画像であり、前ピン、後ピン状態を示す指標９７ａ，９７ｂが表示されず、単色で塗りつぶされた画像である。また、この場合、長方形枠ＦＭ１〜ＦＭ３と同じ色で合焦状態情報画像９６ｃが表示される。
【０１４２】
［第１８実施形態］
第１８実施形態は、第１〜第３主要被写体エリアＥＭ１〜ＥＭ３に対応する被写界深度を示す３つの矩形エリアを含む被写界深度情報画像を表示させたものである。図４７に示すように、上記第７〜１７実施形態の被写界深度情報画像８１に代えて、被写界深度情報画像９８を表示させる。被写界深度情報画像９８以外の構成は、上記第１６実施形態と同様である。
【０１４３】
図４８に示すように、被写界深度情報画像９８は、目盛りが付された横長帯状の距離指標８２、合焦位置を示す縦線８３、及び被写界深度を示す矩形エリア９９ａ〜９９ｃ（ハッチングで示す範囲）によって構成される。矩形エリア９９ａ〜９９ｃは、第１〜第３主要被写体エリアＥＭ１〜ＥＭ３に対応する被写界深度をそれぞれ示している。
【０１４４】
マニュアルフォーカスモードの場合、フォーカスリング１７の回転操作によりフォーカス状態が調節され、それに連動して合焦位置を示す縦線８３が距離指標８２上を左右に移動し、また、絞りリング１８の回転操作により絞り値が調節され、それに連動して絞り値に関連する被写界深度エリア９９ａ〜９９ｃが距離指標８２上で伸縮して表示される。
【０１４５】
［第１９実施形態］
第１９実施形態は、半円形状の第１及び第２の指標から第１〜第３デフォーカス画像５７ａ〜５７ｃを構成したものである。図４９に示すように、第１〜第３デフォーカス画像５７ａ〜５７ｃは、下弦の半円形状をした第１の指標１００と、上弦の半円形状をした第２の指標１０１とから表される。主要被写体エリアＥＭ１〜ＥＭ３に近接して、主要被写体エリアＥＭ１〜ＥＭ３の右側または左側に第１〜第３デフォーカス画像５７ａ〜５７ｃが表示される。第１及び第２の指標１００，１０１以外の構成は、上記第７実施形態と同様である。
【０１４６】
図５０Ａに示すように、第１〜第３主要被写体エリアＥＭ１〜ＥＭ３が非合焦状態の場合、第１及び第２の指標１００，１０１は、円弧の中心位置が水平方向Ｘ及び垂直方向Ｙに互いに離間している。水平方向Ｘ及び垂直方向Ｙにおける第１及び第２間隔Ｄ１，Ｄ２は、撮影光学系１６のデフォーカス量を表している。第１及び第２間隔Ｄ１，Ｄ２は、デフォーカス量が小さいほど小さい。
【０１４７】
フォーカスリング１７の回転操作により、デフォーカス量が「０」、すなわち、第１〜第３主要被写体エリアＥＭ１〜ＥＭ３のいずれか１つが合焦状態となった場合には、図５０Ｂに示すように、第１及び第２の指標１００，１０１は、第１及び第２間隔Ｄ１，Ｄ２が「０」となり、中心が一致した１つの円になる。
【０１４８】
［第２０実施形態］
第２０実施形態は、半円形状の第１及び第２の指標１００，１０１から構成される第１〜第３デフォーカス画像５７ａ〜５７ｃを、主要被写体エリアＥＭ１〜ＥＭ３の下方に表示させたものである。図５１に示すように、第１〜第３デフォーカス画像５７ａ〜５７ｃは、対応する主要被写体エリアＥＭ１〜ＥＭ３に近接して、主要被写体エリアＥＭ１〜ＥＭ３の下方に配置されている。第１〜第３デフォーカス画像５７ａ〜５７ｃを主要被写体エリアＥＭ１〜ＥＭ３の下方に配置したこと以外の構成は、上記第１９実施形態と同様である。
【０１４９】
図５２に示すように、第１〜第３主要被写体エリアＥＭ１〜ＥＭ３が非合焦状態の場合、第１及び第２の指標１００，１０１は、水平方向Ｘ及び垂直方向Ｙに互いに離間している。第１〜第３主要被写体エリアＥＭ１〜ＥＭ３のいずれか１つが合焦状態となった場合には、上記第１９実施形態と同様に、第１及び第２の指標１００，１０１は、中心が一致した１つの円になる。
【０１５０】
［第２１実施形態］
第２１実施形態は、半円形状の第１及び第２の指標１００，１０１から構成される第１〜第３デフォーカス画像５７ａ〜５７ｃを、被写体表示エリアＥＳの右側に表示させたものである。図５３に示すように、上記第１２実施形態と同様に、主要被写体エリアＥＭ１〜ＥＭ３に対応する第１〜第３デフォーカス画像５７ａ〜５７ｃは、被写体表示エリアＥＳに近接して、被写体表示エリアＥＳの右側に配置されている。第１及び第２の指標１００，１０１以外の構成は、上記第１２実施形態と同様である。
【０１５１】
図５４に示すように、第１〜第３主要被写体エリアＥＭ１〜ＥＭ３が非合焦状態の場合、第１及び第２の指標１００，１０１は、水平方向Ｘ及び垂直方向Ｙに互いに離間している。第１〜第３主要被写体エリアＥＭ１〜ＥＭ３のいずれか１つが合焦状態となった場合には、上記第１９実施形態と同様に、第１及び第２の指標１００，１０１は、中心が一致した１つの円になる。
【０１５２】
［第２２実施形態］
第２２実施形態は、円弧形状の第１及び第２の指標から第１〜第３デフォーカス画像５７ａ〜５７ｃを構成したものである。図５５に示すように、第１〜第３デフォーカス画像５７ａ〜５７ｃは、円を上下に２等分した円弧形状の第１及び第２の指標１０２，１０３から表される。第１の指標１０２は、上方凸になる円弧形状であり、第２の指標１０３は、下方に凸となる円弧形状である。主要被写体エリアＥＭ１〜ＥＭ３に近接して、主要被写体エリアＥＭ１〜ＥＭ３の右側または左側に第１〜第３デフォーカス画像５７ａ〜５７ｃが表示される。第１及び第２の指標１０２，１０３以外の構成は、上記第１９実施形態と同様である。
【０１５３】
図５６Ａに示すように、第１〜第３主要被写体エリアＥＭ１〜ＥＭ３が非合焦状態の場合、第１及び第２の指標１０２，１０３は、円弧の中心位置が水平方向Ｘ及び垂直方向Ｙに互いに離間している。水平方向Ｘ及び垂直方向Ｙにおける第１及び第２間隔Ｄ１，Ｄ２は、撮影光学系１６のデフォーカス量を表している。第１及び第２間隔Ｄ１，Ｄ２は、デフォーカス量が小さいほど小さい。
【０１５４】
フォーカスリング１７の回転操作により、デフォーカス量が「０」、すなわち、第１〜第３主要被写体エリアＥＭ１〜ＥＭ３のいずれか１つが合焦状態となった場合には、図５６Ｂに示すように、第１及び第２の指標１０２，１０３は、第１及び第２間隔Ｄ１，Ｄ２が「０」となり、中心が一致した１つの円になる。
【０１５５】
［第２３実施形態］
第２３実施形態は、円弧形状の第１及び第２の指標１０２，１０３から構成される第１〜第３デフォーカス画像５７ａ〜５７ｃを、主要被写体エリアＥＭ１〜ＥＭ３の下方に表示させたものである。図５７に示すように、第１〜第３デフォーカス画像５７ａ〜５７ｃは、対応する主要被写体エリアＥＭ１〜ＥＭ３に近接して、主要被写体エリアＥＭ１〜ＥＭ３の下方に配置されている。第１〜第３デフォーカス画像５７ａ〜５７ｃを主要被写体エリアＥＭ１〜ＥＭ３の下方に配置したこと以外の構成は、上記第２２実施形態と同様である。
【０１５６】
図５８に示すように、第１〜第３主要被写体エリアＥＭ１〜ＥＭ３が非合焦状態の場合、第１及び第２の指標１０２，１０３は、水平方向Ｘ及び垂直方向Ｙに互いに離間している。第１〜第３主要被写体エリアＥＭ１〜ＥＭ３のいずれか１つが合焦状態となった場合には、上記第２２実施形態と同様に、第１及び第２の指標１０２，１０３は、中心が一致した１つの円になる。
【０１５７】
［第２４実施形態］
第２４実施形態は、円弧形状の第１及び第２の指標１０２，１０３から構成される第１〜第３デフォーカス画像５７ａ〜５７ｃを、被写体表示エリアＥＳの右側に表示させたものである。図５９に示すように、上記第１２実施形態と同様に、主要被写体エリアＥＭ１〜ＥＭ３に対応する第１〜第３デフォーカス画像５７ａ〜５７ｃは、被写体表示エリアＥＳに近接して、被写体表示エリアＥＳの右側に配置されている。第１及び第２の指標１０２，１０３以外の構成は、上記第１２実施形態と同様である。
【０１５８】
図６０に示すように、第１〜第３主要被写体エリアＥＭ１〜ＥＭ３が非合焦状態の場合、第１及び第２の指標１０２，１０３は、水平方向Ｘ及び垂直方向Ｙに互いに離間している。第１〜第３主要被写体エリアＥＭ１〜ＥＭ３のいずれか１つが合焦状態となった場合には、上記第２２実施形態と同様に、第１及び第２の指標１０２，１０３は、中心が一致した１つの円になる。
【０１５９】
［第２５実施形態］
第２５実施形態は、非合焦状態における第１及び第２の指標１０４，１０５を互いに異なる色とし、合焦状態における第１及び第２の指標１０４，１０５を同じ色に変化させるようにしたものである。図６１及び図６２Ａに示すように、第１〜第３デフォーカス画像５７ａ〜５７ｃは、非合焦状態の場合、色が互いに異なる第１及び第２の指標１０４，１０５から表される。なお、図６１及び図６２Ａにおいて異なる種類のハッチングを掛けた第１及び第２の指標１０４，１０５は、互いに異なる色で表示されることを示している。第１〜第３デフォーカス画像５７ａ〜５７ｃは、上記第７実施形態と同様に、主要被写体エリアＥＭ１〜ＥＭ３に近接して、主要被写体エリアＥＭ１〜ＥＭ３の右側または左側に表示される。
【０１６０】
第１及び第２の指標５８，５９と同様に、第１〜第３主要被写体エリアＥＭ１〜ＥＭ３が非合焦状態の場合、第１及び第２の指標１０４，１０５は、水平方向Ｘ及び垂直方向Ｙに互いに離間している。第１及び第２の指標１０４，１０５の水平方向Ｘ及び垂直方向Ｙにおける第１及び第２間隔Ｄ１，Ｄ２は、撮影光学系１６のデフォーカス量を表している。第１及び第２間隔Ｄ１，Ｄ２は、デフォーカス量が小さいほど小さい。
【０１６１】
フォーカスリング１７の回転操作により、デフォーカス量が「０」、すなわち、第１〜第３主要被写体エリアＥＭ１〜ＥＭ３のいずれか１つが合焦状態となった場合には、図６２Ｂに示すように、第１及び第２間隔Ｄ１，Ｄ２が「０」となり、第１及び第２の指標１０４，１０５が一直線状に並ぶとともに、色が変化する。この場合、第１及び第２の指標１０４，１０５は、互いに同じ色に変化する。図６２Ｂにおいて第１及び第２の指標１０４，１０５に掛けたハッチングは、非合焦状態の場合とは異なる色であり、且つ互いに同じ色に変化していることを示す。
【０１６２】
上記各実施形態では、第１及び第２の指標が離間する第１方向を水平方向、第２方向を垂直方向としているが、第１方向を垂直方向、第２方向を水平方向としてもよい。
【０１６３】
上記各実施形態においては、ファインダ内表示制御部４８は、近傍状態と判定された１つの主要被写体エリアＥＭのデフォーカス画像５７を、他の１つの主要被写体エリアＥＭと重ならない位置に表示させているが、これに限らず、１つの主要被写体エリアＥＭが、他の２つの主要被写体エリアと近傍状態である場合、近傍状態と判定された１つの主要被写体エリアＥＭのデフォーカス画像５７を、他の２つの主要被写体エリアＥＭと重ならない位置に表示させてもよい。例えば、１つの主要被写体エリアＥＭの右側及び左側に、他の２つの主要被写体エリアＥＭが接近して近傍状態であると判定された場合には、近傍状態と判定された主要被写体エリアＥＭのデフォーカス画像５７を、対応する主要被写体エリアＥＭの下方に表示させてもよい。
【０１６４】
上記各実施形態では、主要被写体エリア検出部は、タッチパネル２７による入力で主要被写体エリアを検出しているが、主要被写体エリアの検出はこれに限らず、撮像された画像中から主要被写体（例えば、被写体像中の人物の顔）を表す画像を認識する主要被写体認識部（顔認識部）を設け、主要被写体エリア検出部は、主要被写体認識部で認識された主要被写体を含むエリアを主要被写体エリアとして自動的に検出するよう構成してもよい。
【０１６５】
上記各実施形態では、撮像素子３１は、ＣＭＯＳ型イメージセンサであるが、ＣＣＤ型イメージセンサであってもよい。また、上記各実施形態では、ファインダ部をハイブリッドビューファインダとしているが、電子ビューファインダとしてもよい。
【０１６６】
なお、本発明は、デジタルカメラ以外に、ファインダ部を備えたビデオカメラ等の撮影装置に適用可能である。
【符号の説明】
【０１６７】
１１  デジタルカメラ
１５  ファインダ部
１６  撮影光学系
１７  フォーカスリング
３１  撮像素子
３２  主制御部
４５  デジタル信号処理部
４８  ファインダ内表示制御部
５１  主要被写体エリア検出部
５２  デフォーカス量検出部
５３  デフォーカス画像生成部
５４  近傍状態判定部
５５  表示位置制御部
５６  通常画像
５７ａ〜５７ｃ  デフォーカス画像
５８，８６，８８，９０，９２，１００，１０２，１０４  第１の指標
５９，８７，８９，９１，９３，１０１，１０３，１０５  第２の指標
Ｄ１  第１間隔
Ｄ２  第２間隔
Ｅ  観察エリア
ＥＭ１〜ＥＭ３  主要被写体エリア
ＥＳ  被写体表示エリア
【図１】
2017057510.tif 000003
【図２】
2017057510.tif 000004
【図３】
2017057510.tif 000005
【図４】
2017057510.tif 000006
【図５】
2017057510.tif 000007
【図６】
2017057510.tif 000008
【図７】
2017057510.tif 000009
【図８】
2017057510.tif 000010
【図９】
2017057510.tif 000011
【図１０】
2017057510.tif 000012
【図１１】
2017057510.tif 000013
【図１２】
2017057510.tif 000014
【図１３】
2017057510.tif 000015
【図１４Ａ】
2017057510.tif 000016
【図１４Ｂ】
2017057510.tif 000017
【図１５】
2017057510.tif 000018
【図１６】
2017057510.tif 000019
【図１７】
2017057510.tif 000020
【図１８Ａ】
2017057510.tif 000021
【図１８Ｂ】
2017057510.tif 000022
【図１９Ａ】
2017057510.tif 000023
【図１９Ｂ】
2017057510.tif 000024
【図２０Ａ】
2017057510.tif 000025
【図２０Ｂ】
2017057510.tif 000026
【図２１Ａ】
2017057510.tif 000027
【図２１Ｂ】
2017057510.tif 000028
【図２２】
2017057510.tif 000029
【図２３】
2017057510.tif 000030
【図２４】
2017057510.tif 000031
【図２５】
2017057510.tif 000032
【図２６】
2017057510.tif 000033
【図２７】
2017057510.tif 000034
【図２８】
2017057510.tif 000035
【図２９】
2017057510.tif 000036
【図３０】
2017057510.tif 000037
【図３１】
2017057510.tif 000038
【図３２】
2017057510.tif 000039
【図３３Ａ】
2017057510.tif 000040
【図３３Ｂ】
2017057510.tif 000041
【図３４】
2017057510.tif 000042
【図３５】
2017057510.tif 000043
【図３６】
2017057510.tif 000044
【図３７Ａ】
2017057510.tif 000045
【図３７Ｂ】
2017057510.tif 000046
【図３８】
2017057510.tif 000047
【図３９】
2017057510.tif 000048
【図４０Ａ】
2017057510.tif 000049
【図４０Ｂ】
2017057510.tif 000050
【図４０Ｃ】
2017057510.tif 000051
【図４１】
2017057510.tif 000052
【図４２Ａ】
2017057510.tif 000053
【図４２Ｂ】
2017057510.tif 000054
【図４２Ｃ】
2017057510.tif 000055
【図４３】
2017057510.tif 000056
【図４４Ａ】
2017057510.tif 000057
【図４４Ｂ】
2017057510.tif 000058
【図４５】
2017057510.tif 000059
【図４６Ａ】
2017057510.tif 000060
【図４６Ｂ】
2017057510.tif 000061
【図４６Ｃ】
2017057510.tif 000062
【図４７】
2017057510.tif 000063
【図４８】
2017057510.tif 000064
【図４９】
2017057510.tif 000065
【図５０Ａ】
2017057510.tif 000066
【図５０Ｂ】
2017057510.tif 000067
【図５１】
2017057510.tif 000068
【図５２】
2017057510.tif 000069
【図５３】
2017057510.tif 000070
【図５４】
2017057510.tif 000071
【図５５】
2017057510.tif 000072
【図５６Ａ】
2017057510.tif 000073
【図５６Ｂ】
2017057510.tif 000074
【図５７】
2017057510.tif 000075
【図５８】
2017057510.tif 000076
【図５９】
2017057510.tif 000077
【図６０】
2017057510.tif 000078
【図６１】
2017057510.tif 000079
【図６２Ａ】
2017057510.tif 000080
【図６２Ｂ】
2017057510.tif 000081
【国際調査報告】
2017057510.tif 000082
2017057510.tif 000083
2017057510.tif 000084